(57)【要約】汚れ放出ポリマーである第１のポリマーと、グラフトコポリマー（例えば、ＰＥＧ／酢酸ビニルポリマー）、アルコキシル化ポリアルキレンイミンポリマー、又はこれらの混合物である第２のポリマーと、を含む系など特定のポリマー系を含む、布地処理組成物。関連する方法及び使用。
2021528540.tif 000002
【特許請求の範囲】
【請求項１】
布地処理組成物であって、
（ａ）前記組成物の１重量％〜２５重量％の第１のポリマーであって、前記第１のポリマーは汚れ放出ポリマー（ＳＲＰ）である、第１のポリマーと、
（ｂ）前記組成物の１重量％〜２５重量％の第２のポリマーであって、前記第２のポリマーは、グラフトコポリマー、アルコキシル化ポリアルキレンイミンポリマー、又はこれらの混合物であり、
前記グラフトコポリマーが存在する場合、前記グラフトコポリマーは、
ｉ）グラフトベースとしての水溶性ポリアルキレンオキシドと、
ｉｉ）ビニルエステル成分の重合によって形成される１つ以上の側鎖と、を含む、第２のポリマーと、を含み、
前記組成物は、前記組成物の５重量％未満のアニオン性界面活性剤を含む、布地処理組成物。
【請求項２】
布地処理組成物であって、
（ａ）第１のポリマーであって、前記第１のポリマーは汚れ放出ポリマー（ＳＲＰ）である、第１のポリマーと、
（ｂ）第２のポリマーであって、前記第２のポリマーは、グラフトコポリマー、アルコキシル化ポリアルキレンイミン、又はこれらの混合物であり、
前記グラフトコポリマーが存在する場合、前記グラフトコポリマーは、
ｉ）グラフトベースとしての水溶性ポリアルキレンオキシドと、
ｉｉ）ビニルエステル成分の重合によって形成される１つ以上の側鎖と、を含む、第２のポリマーと、を含み、
（ａ）＋（ｂ）の総重量が、前記組成物の２重量％〜３０重量％である、布地処理組成物。
【請求項３】
（ａ）対（ｂ）の重量比が、１：２〜８：１、又は１：１〜７：１、又は１：１〜５：１、又は１：１〜３：１、又は１：１〜２：１である、請求項１又は２に記載の布地処理組成物。
【請求項４】
前記組成物が、
前記組成物の少なくとも２重量％、又は少なくとも３重量％、又は少なくとも４重量％、又は少なくとも５重量％、又は少なくとも６重量％、又は少なくとも７重量％、又は少なくとも８重量％、又は少なくとも９重量％、又は少なくとも１０重量％の前記第１のポリマー、及び／又は
前記組成物の少なくとも２重量％、又は少なくとも３重量％、又は少なくとも４重量％、又は少なくとも５重量％、又は少なくとも６重量％、又は少なくとも７重量％、又は少なくとも８重量％、又は少なくとも９重量％、又は少なくとも１０％の前記第２のポリマーを含む、請求項１〜３のいずれか一項に記載の布地処理組成物。
【請求項５】
前記第１のポリマーは、テレフタレート由来の汚れ放出ポリマー、好ましくはＰＥＴ／ＰＯＥＴ汚れ放出ポリマーである、請求項１〜４のいずれか一項に記載の布地処理組成物。
【請求項６】
前記第１のポリマーは非イオン性ＳＲＰである、請求項１〜５のいずれか一項に記載の布地処理組成物。
【請求項７】
前記第２のポリマーはグラフトコポリマーを含む、請求項１〜６のいずれか一項に記載の布地処理組成物。
【請求項８】
前記グラフトベースの前記水溶性ポリアルキレンオキシドはエチレンオキシドを含み、及び／又は前記ビニルエステル成分は酢酸ビニルを含む、請求項１〜７のいずれか一項に記載の布地処理組成物。
【請求項９】
前記グラフトコポリマーは、２５〜６０重量％の前記グラフトベース（ｉ）と、４０〜７５重量％の前記ビニルエステル成分（ｉｉ）と、を含む、請求項１〜８のいずれか一項に記載の布地処理組成物。
【請求項１０】
前記第２のポリマーはアルコキシル化ポリアルキレンイミンポリマーを含み、
好ましくは、前記アルコキシル化ポリアルキレンイミンは、エトキシレート（ＥＯ）基、プロポキシレート（ＰＯ）基、又はこれらの組み合わせを含む、請求項１〜９のいずれか一項に記載の布地処理組成物。
【請求項１１】
前記組成物は、以下の成分、
ａ．酸化防止剤であって、好ましくはヒンダードフェノール酸化防止剤であり、前記組成物の、好ましくは０．００１重量％〜２重量％、より好ましくは０．０１重量％〜０．５重量％の量の酸化防止剤、
ｂ．前記組成物の０．１重量％〜１０重量％のキレート剤、
ｃ．前記組成物の０．１重量％〜１０重量％の香料、好ましくは未希釈香料、カプセル化香料、乳化香料、又はこれらの組み合わせ、
ｄ．構造化剤
ｅ．塩素捕捉剤、
ｆ．３−（３，３−ジメチル−２，３−ジヒドロ−１Ｈ−インデン−５−イル）プロパナール、３−（６，６−ジメチルビシクロ［３．１．１］ヘプタ−２−エン−２−イル）−２，２−ジメチルプロパナール；３−メチル−５−フェニルペンタン−１−オール、Ｅ）−３，７−ジメチルオクタ−２，６−ジエン−１−イルパルミテート；３ａ，４，５，６，７，７ａ−ヘキサヒドロ−４，７−メタノ−１Ｈ−インデン−（５及び６）−イルアセテート；３，４，４ａ，５，６，７，８，８ａ−オクタヒドロクロメン−２−オン；２，２，７，７−テトラメチルトリシクロ（６．２．１．０（１，６））−ウンデカン−５−オン；（Ｅ）−３，７−ジメチルオクタ−１，３，６−トリエン；１−（（２−（ｔｅｒｔ−ブチル）シクロヘキシル）オキシ）ブタン−２−オール；又はこれらの組み合わせから選択される悪臭低減材料、
ｇ．布地コンディショニング活性物質であって、好ましくは第四級アンモニウムエステル化合物、シリコーン、又はこれらの混合物である、布地コンディショニング活性物質、又は
ｈ．これらの混合物のうちの１つ以上を更に含む、請求項１〜１０のいずれか一項に記載の布地処理組成物。
【請求項１２】
前記組成物は、前記組成物の５重量％未満、又は３重量％未満、又は１重量％未満、又は０．１重量％未満、又は０％のアニオン性界面活性剤、布地コンディショニング活性物質、漂白剤、炭酸塩、又はこれらの組み合わせを含む、請求項１〜１１のいずれか一項に記載の布地処理組成物。
【請求項１３】
前記組成物は、液体、好ましくは２〜７、又は３〜６、又は４〜５のｐＨを有する液体である、請求項１〜１２のいずれか一項に記載の布地処理組成物。
【請求項１４】
布地を処理する方法であって、
布地を水性処理液と接触させる工程であって、好ましくは前記布地は、合成繊維、好ましくはポリエステル、アクリル、ナイロン、レーヨン、アセテート、スパンデックス、ラステックス、若しくはオーロン繊維、又はこれらの組み合わせから選択される合成繊維を含み、前記水性処理液は、
１０〜１００ｐｐｍの、汚れ放出ポリマー、好ましくはテレフタレート由来の汚れ放出ポリマーである第１のポリマーと、
１０〜１００ｐｐｍの、グラフトコポリマー（好ましくはＰＥＧ／酢酸ビニルグラフトコポリマー）、アルコキシル化ポリアルキレンイミンポリマー、又はこれらの混合物から選択される第２のポリマーと、を含む、工程を含む、方法。
【請求項１５】
任意に汚れ放出ポリマー、好ましくはテレフタレート由来の汚れ放出ポリマーと組み合わせる、ＰＥＧ／酢酸ビニルグラフトコポリマーの使用であって、前記コポリマーを含まない同様の組成物で布地を処理する場合と比較して、前記コポリマーを含む組成物で前記布地を処理した後の前記布地のウィッキング性能を改善する、又は維持するための、使用。
【発明の詳細な説明】
【技術分野】
【０００１】
本開示は、特定のポリマー系、例えば、汚れ放出ポリマーである第１のポリマーと、グラフトコポリマー、アルコキシル化ポリアルキレンイミンポリマー、又はこれらの混合物である第２のポリマーと、を含む布地処理組成物に関する。本開示はまた、関連する方法及び使用に関する。
【背景技術】
【０００２】
運動着としての使用が意図される衣類は、運動中以外での使用にも、より一般的になっている。かかる衣類は、多くの場合、水及び汗がより容易に蒸発することができるように、これらが身体から引き離される、着用中のウィッキング特性で評価されている。しかしながら、洗浄及び／又は着用を繰り返すと、布地、多くの場合、合成織物は、そのウィッキング特性を失うことがあり得る。
【０００３】
例えば、製造元によって施される仕上げは、布地の洗濯時に失われ得る。加えて、布地上の汚れ（標準的な着用及び／又は運動活動中に蓄積し得る身体汚れなど）の蓄積は、ウィッキングを阻害し得る。布地柔軟剤の使用は、布地の繊維上への疎水性活性物質の付着をもたらし、繊維のウィッキング能力を低下させる。
【０００４】
衣類が水分を十分にウィッキングしない場合、衣類は、様々な機構を介して悪臭になり得る。したがって、改善されたウィッキングは、改善された悪臭防止と相関すると考えられる。
【発明の概要】
【発明が解決しようとする課題】
【０００５】
特に布地が繰り返し使用される、及び／又は選択される場合、布地のウィッキングを改善する組成物及び方法が必要とされている。
【課題を解決するための手段】
【０００６】
本開示は、ポリマー系に関する組成物及び方法に関する。例えば、本開示は、（ａ）組成物の約１重量％〜約２５重量％の第１のポリマーであって、第１のポリマーは汚れ放出ポリマー（ＳＲＰ）である、第１のポリマーと、（ｂ）組成物の約１重量％〜約２５重量％の第２のポリマーであって、第２のポリマーは、グラフトコポリマー、アルコキシル化ポリアルキレンイミンポリマー、又はこれらの混合物であり、グラフトコポリマーが存在する場合、グラフトコポリマーは、（ｉ）グラフトベースとしての水溶性ポリアルキレンオキシドと、（ｉｉ）ビニルエステル成分の重合によって形成される１つ以上の側鎖と、を含む、第２のポリマーと、を含む、布地処理組成物に関し、組成物は、組成物の約５重量％未満のアニオン性界面活性剤を含む。
【０００７】
本開示はまた、（ａ）第１のポリマーであって、第１のポリマーは汚れ放出ポリマーである、第１のポリマーと、（ｂ）第２のポリマーであって、第２のポリマーはグラフトコポリマー、アルコキシル化ポリアルキレンイミン、又はこれらの混合物であり、グラフトコポリマーが存在する場合、グラフトコポリマーは、（ｉ）グラフトベースとしての水溶性ポリアルキレンオキシドと、（ｉｉ）ビニルエステル成分の重合によって形成される１つ以上の側鎖と、を含む、第２のポリマーと、を含む、布地処理組成物に関し、（ａ）＋（ｂ）の総重量は、組成物の約２重量％〜約３０重量％である。
【０００８】
本開示はまた、布地を処理する方法に関し、この方法は、布地を水性処理液と接触させる工程であって、水性処理液は、約１０〜約１００ｐｐｍのＰＥＧ／酢酸ビニルグラフトコポリマーと、約１０〜約１００ｐｐｍのテレフタレート由来の汚れ放出ポリマーと、を含む、工程を含む。
【０００９】
本開示はまた、任意にテレフタレート由来の汚れ放出ポリマーと組み合わせる、ＰＥＧ／酢酸ビニルグラフトコポリマーの使用に関し、コポリマーを含まない同様の組成物で布地を処理する場合と比較して、コポリマーを含む組成物で布地を処理した後の布地のウィッキング性能を改善する、又は維持する。
【図面の簡単な説明】
【００１０】
本明細書の図面は、事実上例示的なものであり、限定的であることを意図したものではない。
【図１】「ウィッキング距離の決定」実験準備の一部を示す。
【発明を実施するための形態】
【００１１】
本開示は、特定のポリマー系を含む布地処理組成物に関する。ポリマー系は、少なくとも２種のポリマー、つまり、汚れ放出ポリマー、例えば、テレフタレート由来のＳＲＰであり得る第１のポリマー（ａ）と、グラフトコポリマー、アルコキシル化ポリアルキレンイミンポリマー、又はこれらの混合物であり得る第２のポリマー（ｂ）であって、グラフトポリマーは、（ｉ）グラフトベースとしてのエチレンオキシドなど水溶性ポリアルキレンオキシド、及び（ｉｉ）酢酸ビニルなどビニルエステル成分の重合によって形成される１つ以上の側鎖に由来し得る、第２のポリマー（ｂ）と、を含む。驚くべきことに、特定の濃度及び／又は比率でこれらのポリマーを有する組成物は、合成繊維を含むものなど特定の衣類のウィッキング特性を提供する及び／又は回復させることができることが見出されている。かかるウィッキング効果は、悪臭制御効果と相関すると考えられる。
【００１２】
理論に束縛されるものではないが、第２のポリマー（ｂ）は汚れを除去する及び／又は浮かせることができ、その結果、汚れは、第１のポリマー（ａ）の付着及び／又は性能を阻害しないようにすると考えられる。一方、第１のポリマー（ａ）（例えば、ＳＲＰ）は、布地に堆積して、ウィッキング性能を促進し得る。以下の実施例に示すように、洗浄中に大部分の汚れが対処されることが期待されるとき、ポリマーは、すすぎサイクル中であっても、いずれかのポリマーを単独で使用する場合と比較して、組み合わせると驚くほど良好に機能することが見出されている。
【００１３】
本開示はまた、例えば自動洗濯機のすすぎサイクル中に、かかるポリマー系及び／又はかかる布地処理組成物で布地を処理する方法に関する。
【００１４】
本開示のポリマー系、組成物、方法、及び使用を以下でより詳細に述べる。
【００１５】
本明細書で使用する場合、特許請求の範囲で使用される際の冠詞「ａ」及び「ａｎ」は、特許請求又は記載されているもののうちの１つ以上を意味すると理解される。本明細書で使用する場合、用語「含む（include）」、「含む（includes）」、及び「含んでいる（including）」は、非限定的であることを意味する。本開示の組成物は、本開示の成分を含むか、それらから本質的になるか、又はそれらからなることができる。
【００１６】
本明細書では、「実質的に含まない（substantially free of）」又は「実質的に含まない（substantially free from）」という用語が使用されてもよい。これは、指示される材料が最小限の量であり、組成物の一部を形成するように意図的にその組成物に添加されたものでないこと、又は好ましくは、分析的に検出可能な濃度で存在しないことを意味する。それは、指示される材料が意図的に含まれる他の材料のうちの１つの中に不純物としてのみ存在する組成物を含むことを意味する。指示される材料は、あったとしても、組成物の１重量％未満、又は０．１重量％未満、又は０．０１重量％未満、又は更には０重量％の濃度で存在してもよい。
【００１７】
本明細書で使用するとき、「液体」は、自由流動性液体、並びにペースト、ゲル、泡、及びムースを含む。液体の非限定的な例には、軽質及び重質液体洗剤組成物、布地柔軟剤、洗濯で一般に使用される洗剤ゲル、漂白剤及び洗濯添加剤が挙げられる。気体（例えば、懸濁気泡）又は固体（例えば、粒子）は、液体に含まれてもよい。
【００１８】
本明細書で使用するとき、「固体」は、粉末、粒塊、及びこれらの混合物を含むが、これらに限定されない。固体の非限定的な例としては、顆粒、マイクロカプセル、錠剤又はビーズ、ヌードル、及び真珠光沢ボールが挙げられる。
【００１９】
別途記載のない限り、全ての構成成分又は組成物の濃度は、当該構成成分又は組成物の活性部分に関するものであり、かかる構成成分又は組成物の市販の供給源に存在し得る不純物、例えば残留溶媒又は副生成物は除外される。
【００２０】
本明細書における全ての温度は、別途記載のない限り、摂氏（℃）である。別途指示のない限り、本明細書における全ての測定は、２０℃及び大気圧下で行われる。
【００２１】
本開示の全ての実施形態において、全ての比率（％）は、特に記載のない限り、全組成物の重量に対するものである。特に記載のない限り、全ての比は重量比である。
【００２２】
本明細書の全体を通して与えられる全ての最大数値限定は、それよりも小さい全ての数値限定を、かかるより小さい数値限定があたかも本明細書に明確に記載されているかのように含むものと理解すべきである。本明細書の全体を通して与えられる全ての最小数値限定は、それよりも高い全ての数値限定を、かかるより高い数値限定があたかも本明細書に明確に記載されているかのように含む。本明細書の全体を通して与えられる全ての数値範囲は、かかるより広い数値範囲内に含まれるより狭い全ての数値範囲を、かかるより狭い数値範囲があたかも全て本明細書に明確に記載されているかのように含む。
【００２３】
布地処理組成物
本開示は、布地処理組成物に関する。本明細書で使用するとき、語句「布地処理組成物」は、衣類など布地、又は他の繊維の処理用に設計された組成物及び配合物を含む。
【００２４】
かかる組成物としては、洗濯洗浄組成物及び洗剤、布地柔軟化組成物、布地強化組成物、布地消臭組成物、予洗い用洗剤（laundry prewash）、洗濯前処理剤、洗濯添加剤、スプレー製品、ドライクリーニング剤又は組成物、洗濯すすぎ添加剤、洗浄添加剤、すすぎ後布地処理剤、アイロン助剤、単位用量配合物、遅延送達配合物、多孔性基材若しくは不織布シート上又は中に含有される洗剤、及び本明細書の教示を考慮すると当業者に明白であり得るその他の好適な形態が挙げられてよいが、これらに限定されない。かかる組成物は、洗濯前処理剤、洗濯後処理剤として使用してよい、又は洗濯工程のすすぎ若しくは洗浄サイクル中、好ましくはすすぎサイクル中に添加してよい。
【００２５】
組成物は、任意の好適な形態であってよい。組成物は、液体組成物、粒状組成物、単区画パウチ、多区画パウチ、シート、錠剤又はビーズ、繊維状物、タブレット、バー、フレーク、又はこれらの混合物の形態であってよい。組成物は、液体、固体、又はこれらの組み合わせから選択することができる。
【００２６】
組成物は、液体であってよい。組成物は、当該組成物の約３０重量％から約９０重量％、又は約５０重量％〜約８０重量％の水を含んでよい。組成物は、約２、又は約３、又は約４〜約７、又は約６、又は約５、又は約４．５の純粋ｐＨを有してよい。酸性ｐＨを有する液体組成物は、キレート剤を含有する組成物の物理的安定性を促進し得る。一部のＳＲＰは、特定のｐＨで加水分解しやすい場合があるため、組成物のｐＨは、ＳＲＰ安定性を促進するように最適化されてよい。
【００２７】
洗浄組成物は、タブレット、パウチ、シート、又は繊維状物などユニット化された用量物品の形態であってよい。このようなパウチは、典型的には、組成物を少なくとも部分的に封入する水溶性フィルム、例えば、ポリビニルアルコール水溶性フィルムを含む。好適なフィルムは、ＭｏｎｏＳｏｌ，ＬＬＣ（Ｉｎｄｉａｎａ，ＵＳＡ）から入手可能である。当該組成物は、単一区画パウチに封入しても、又は多区画パウチに封入してもよい。多区画パウチは、少なくとも２つ、少なくとも３つ、又は少なくとも４つの区画を有し得る。多区画パウチは、並べて及び／又は重ねておかれた区画を含むことができる。パウチ又はその区画内に収容される組成物は、液体、固体（粉末など）、又はこれらの組み合わせであってよい。パウチ詰組成物は、比較的少量の水、例えば、洗剤組成物の約２０重量％未満、又は約１５重量％未満、又は約１２重量％未満、又は約１０重量％未満、又は約８重量％未満の水を有してよい。
【００２８】
組成物は、錠剤又はビーズの形態であり得る。錠剤は、担体としてポリエチレングリコールを含んでよい。ポリエチレングリコールは、約２０００〜約２０，０００ダルトン、好ましくは約５０００〜約１５，０００ダルトン、更により好ましくは約６０００〜約１２，０００ダルトンの重量平均分子量を有してよい。
【００２９】
組成物は、担体として作用し得る、及び／又は安定性を促進し得る非水性溶媒を含んでよい。非水性溶媒としては、メタノール、エタノール、プロパノール、イソプロパノール、１，３−プロパンジオール、１，２−プロパンジオール、エチレングリコール、グリセリン、グリコールエーテル、炭化水素、又はこれらの混合物などの有機溶媒を挙げることができる。他の非水性溶媒としては、シロキサン又は他のシリコーンなどの親油性流体、炭化水素、全フッ素化アミン、全フッ素化及びハイドロフルオロエーテル溶媒、又はこれらの混合物を挙げることができる。モノエタノールアミン、ジエタノールアミン、及びトリエタノールアミンなどアミン含有溶媒が好適であってよい。
【００３０】
布地処理組成物は、汚れ放出ポリマー（テレフタレート由来の汚れ放出ポリマーなど）である第１のポリマー（ａ）と、ＰＥＧ／酢酸ビニルグラフトコポリマー、アルコキシル化ポリアルキレンイミンポリマー、又はこれらの混合物から選択される第２のポリマー（ｂ）と、を含んでよい。ポリマー（ａ）及び（ｂ）は、ポリマー系を形成してよい。ポリマー系は、追加のポリマー、好ましくは布地に効果をもたらすポリマーを含んでよい。以下の実施例によって示すように、ポリマー（ａ）及び（ｂ）を組み合わせて含む布地処理組成物は、ポリマー（ａ）又はポリマー（ｂ）のみを含む組成物と比較して、優れたウィッキング効果を布地にもたらす。
【００３１】
ポリマー（ａ）及び（ｂ）は、布地にウィッキング効果をもたらすのに十分な濃度で存在してよい。組成物は、（ａ）＋（ｂ）の総重量が組成物の約２重量％〜約３０重量％、又は約３重量％〜約３０重量％、又は約４重量％〜約３０重量％、又は約５重量％〜約３０重量％、又は約７重量％〜約２５重量％、又は約８重量％〜約２０重量％であるように、ポリマー（ａ）及び（ｂ）を含んでよい。組成物は、組成物の少なくとも約１重量％、少なくとも約２重量％、又は少なくとも約３重量％、又は少なくとも約４重量％、又は少なくとも約５重量％、又は少なくとも約６重量％、又は少なくとも約７重量％、又は少なくとも約８重量％、又は少なくとも約９重量％、又は少なくとも約１０重量％のポリマー（ａ）を含んでよい。組成物は、組成物の少なくとも約１重量％、少なくとも約２重量％、又は少なくとも約３重量％、又は少なくとも約４重量％、又は少なくとも約５重量％、又は少なくとも約６重量％、又は少なくとも約７重量％、又は少なくとも約８重量％、又は少なくとも約９重量％、又は少なくとも約１０重量％の（ｂ）を含んでよい。
【００３２】
組成物は、組成物の約１重量％〜約２５重量％の第１のポリマー（ａ）を含んでよい。組成物は、組成物の約１重量％〜約２５重量％の第２のポリマー（ｂ）を含んでよい。組成物は、約１重量％、又は約２重量％、又は約３重量％、又は約４重量％、又は約５重量％〜約２５％、又は約２０重量％、又は約１５重量％、又は約１２重量％、又は約１１重量％、又は約１０重量％の第１のポリマー（ａ）、第２のポリマー（ｂ）の組み合わせ、又はポリマー（ａ）及び（ｂ）のそれぞれを含んでよい。
【００３３】
ポリマー（ａ）及び（ｂ）は、組成物中に重量比で存在してよい。重量比は、約１：２〜約８：１、又は約１：１〜約７：１、又は約１：１〜約５：１、又は約１：１〜約３：１、又は約１：１〜約２：１であってよい。
【００３４】
ポリマー（ａ）及び（ｂ）については、以下でより詳細に論じる。
【００３５】
第１のポリマー（ａ）
本開示の組成物は、本開示において「ＳＲＰ」とも呼ぶ、汚れ放出ポリマーであり得る第１のポリマー（ａ）を含んでよい。好適な汚れ放出ポリマーは、典型的には、ポリエステル及びナイロンなど疎水性繊維の表面を親水化するための親水性区分、並びに疎水性繊維上に堆積し、洗浄及びすすぎサイクルの完了までそこに付着し続け、それによって親水性区分のためのアンカーとしての機能を果たす疎水性区分を有する。これにより、後の洗浄手順において、汚れ放出剤による処理後に浮かび上がる汚れを、更に容易に洗浄可能にし得る。汚れの放出を促進することは、布地のウィッキング特性を改善する又は維持するのに役立つとも考えられる。
【００３６】
汚れ放出ポリマーは、様々な帯電単位（例えば、アニオン性若しくはカチオン性単位）及び／又は非帯電（例えば、非イオン性）モノマー単位を含んでよい。ＳＲＰは、非イオン性ＳＲＰ（例えば、非イオン性モノマー単位のみを含む、及び／又はアニオン性若しくはカチオン性単位を含まない）であってよい。ＳＲＰが、第四級アンモニウムエステル化合物などカチオン性布地コンディショニング活性物質と組み合わせて使用される場合、ＳＲＰとカチオン性活性物質との間の潜在的に負の相互作用を回避するために、非イオン性ＳＲＰが特に好ましいことがある。
【００３７】
汚れ放出剤の構造は、直鎖状、分枝鎖状、又は星形、好ましくは直鎖状であってよい。
【００３８】
汚れ放出ポリマーは、ポリマーの分子量を制御する、又はポリマーの物理的特性若しくは表面活性特性を変化させるのに特に有効であるキャップ部分を含んでよい。汚れ放出ポリマーの構造及び電荷分布は、異なる種類の繊維又は生地への適用、及び異なる洗剤又は洗剤添加製品での配合に合わせて調整されてよい。
【００３９】
好適なポリエステル汚れ除去ポリマーは、以下の構造（Ｉ）、（ＩＩ）、又は（ＩＩＩ）：
（Ｉ）−［（ＯＣＨＲ１−ＣＨＲ２）ａ−Ｏ−ＯＣ−Ａｒ−ＣＯ−］ｄ
（ＩＩ）−［（ＯＣＨＲ３−ＣＨＲ４）ｂ−Ｏ−ＯＣ−ｓＡｒ−ＣＯ−］ｅ
（ＩＩＩ）−［（ＯＣＨＲ５−ＣＨＲ６）ｃ−ＯＲ７］ｆ
のうちの１つによって定義される構造を含み、式中、
ａ、ｂ及びｃは、１〜２００であり、
ｄ、ｅ及びｆは、１〜５０であり、
Ａｒは、１，４−置換フェニレンであり、
ｓＡｒは、５位がＳＯ３Ｍで置換されている１，３−置換フェニレンであり、
Ｍｅは、Ｎａ、Ｌｉ、Ｋ、Ｍｇ／２、Ｃａ／２、Ａｌ／３、アンモニウム、モノ−、ジ−、トリ−、若しくはテトラ−アルキルアンモニウム（アルキル基は、Ｃ１〜Ｃ１８アルキル又はＣ２〜Ｃ１０ヒドロキシアルキルである）、又はこれらの混合物から選択される対イオンであり、
Ｒ１、Ｒ２、Ｒ３、Ｒ４、Ｒ５、及びＲ６は、独立して、Ｈ又はＣ１〜Ｃ１８ｎ−若しくはイソ−アルキルから選択され、
Ｒ７は、直鎖状若しくは分枝鎖状Ｃ１〜Ｃ１８アルキル、又は直鎖状若しくは分枝鎖状Ｃ２〜Ｃ３０アルケニル、又は５〜９個の炭素原子を有するシクロアルキル基、又はＣ８〜Ｃ３０アリール基、又はＣ６〜Ｃ３０アリールアルキル基である。
【００４０】
好適なポリエステル汚れ除去ポリマーは、上記の構造（Ｉ）又は（ＩＩ）を含み得る、テレフタレート由来のポリマーを含んでよい。好適な汚れ放出ポリマーとしては、例えば、スルホン化及び非スルホン化ＰＥＴ／ＰＯＥＴ（ポリエチレンテレフタレート／ポリオキシエチレンテレフタレート）ポリマー（エンドキャップされたもの及びエンドキャップされていないものの両方）、好ましくは非スルホン化ＰＥＴ／ＰＯＥＴポリマーが挙げられてよい。好適な汚れ放出ポリマーとしては、エンドキャップされていない、スルホン化ポリエステルが挙げられてよい。他の好適な汚れ放出ポリマーとしては、メチルキャップされた、エトキシル化プロポキシル化汚れ放出ポリマーが挙げられる。
【００４１】
好適なポリエステル汚れ放出ポリマーの例は、ＲＨＯＤＩＡにより供給されているＲＥＰＥｅｌ  Ｏ−ＴＥＸ（登録商標）ラインのポリマーであり、ＲＥＰＥｅｌ  Ｏ−ＴＥＸ（登録商標）ＳＦ、ＳＦ−２、及びＳＲＰ６などである。他の好適な汚れ放出ポリマーとしては、Ｃｌａｒｉａｎｔより供給されているＴｅｘＣａｒｅ（登録商標）ポリマーが挙げられ、ＴｅｘＣａｒｅ（登録商標）ＳＲＡ−１００、ＳＲＡ−３００、ＳＲＮ−１００、ＳＲＮ−１７０、ＳＲＮ−２４０、ＳＲＮ−２６０、ＳＲＮ−３００及びＳＲＮ−３２５などである。他の好適な汚れ放出ポリマーは、Ｓａｓｏｌより供給されているＭａｒｌｏｑｕｅｓｔ（登録商標）ポリマーであり、Ｍａｒｌｏｑｕｅｓｔ（登録商標）ＳＬ、ＨＳＣＢ、Ｌ２３５Ｍ、Ｂ、Ｇ８２などである。
【００４２】
第２のポリマー（ｂ）
本開示の組成物は、グラフトコポリマー、アルコキシル化ポリアルキレンイミンポリマー、又はこれらの混合物であり得る、第２のポリマー（ｂ）を含んでよい。組成物は、グラフトコポリマーを実質的に含まなくてよく、又はアルコキシル化ポリアルキレンイミンポリマーを実質的に含まなくてよい。組成物中のグラフトコポリマー対アルコキシル化ポリアルキレンイミンの重量比は、約１：１０、又は約２：１０、又は約５：１０、又は約７：１０、又は約９：１０、又は約１：１〜約１０：１、又は約１０：２、又は約１０：５、又は約１０：７、又は約１０：９、又は約１：１であってよい。
【００４３】
第２のポリマー（ｂ）の各種類については、以下でより詳細に論じる。
【００４４】
ｉ．グラフトコポリマー
本開示の組成物は、グラフトコポリマーを含んでよい。グラフトコポリマーは、両親媒性グラフトコポリマーであってよい。グラフトコポリマーは、（ｉ）グラフトベースとしての水溶性ポリアルキレンオキシド、及び（ｉｉ）ビニルエステル成分の重合によって形成される１つ以上の側鎖をベースとしてよい。
【００４５】
グラフトベース（ｉ）の形成に好適な水溶性ポリアルキレンオキシドとしては、Ｃ２〜Ｃ４のアルキレンオキシドベースのポリマーが挙げられる。グラフトベースは、少なくとも５０重量％、好ましくは少なくとも６０重量％、より好ましくは少なくとも７５％重量のアルキレンオキシド、好ましくはエチレンオキシドを共重合形態で含んでよい。グラフトベース（ｉ）は、ポリエチレングリコール又はその誘導体であってよい。
【００４６】
ビニルエステル成分（ｉｉ）は、酢酸ビニル、プロピオン酸ビニル、又はこれらの混合物を含んでよく、又はこれらからなってもよい。ビニルエステル成分（ｉｉ）は、酢酸ビニルであってよい。酢酸ビニルなどビニルエステル成分（ｉｉ）は、少なくとも部分的に加水分解されてよい。
【００４７】
グラフトコポリマーは、（ｉ）グラフトベースとしてのポリエチレングリコール（ＰＥＧ）と、（ｉｉ）酢酸ビニル側鎖と、を含んでよい。かかるコポリマーは、「ＰＥＧ／ＶＡｃコポリマー」と称され得る。
【００４８】
グラフトコポリマーは、（ｉ）グラフトベースとしての２０〜７０重量％の水溶性ポリアルキレンオキシドと、（ｉｉ）３０〜８０重量％の、（ｉｉ．ａ）７０〜１００重量％の酢酸ビニル及び／又はプロピオン酸ビニル及び（ｉｉ．ｂ）０〜３０重量％の（Ａ）の存在下の更なるエチレン性不飽和モノマーからなるビニルエステル成分のフリーラジカル重合によって形成される１つ以上の側鎖と、を含んでよい。グラフトコポリマーは、２５〜６０重量％のグラフトベース（ｉ）と、４０〜７５％のビニルエステル成分（ｉｉ）と、を含んでよく、好ましくは、（ｉ）及び（ｉｉ）の相対重量％の合計が、コポリマーの１００重量％となる。
【００４９】
両親媒性グラフトコポリマーは、比較的低い分枝度（グラフト化の程度）を有してよい。グラフトコポリマーは、平均して、得られた反応混合物に基づいて、５０個のエチレンオキシド基当たり約１つ以下のグラフト部位を含んでよい。グラフトコポリマーは、平均して、得られた反応混合物に基づいて、５０個のエチレンオキシド基当たり少なくとも約０．０５、又は少なくとも約０．１のグラフト部位を含んでよい。分枝の程度は、例えば、１３Ｃ  ＮＭＲ分光法を用いて、グラフト部位及びポリアルキレンオキシドの−ＣＨ２−基のシグナルの積分から測定することができる。
【００５０】
好ましい両親媒性グラフトポリマーの平均分子量Ｍｗは、３０００〜１００，０００、好ましくは６０００〜４５，０００、より好ましくは８０００〜３０，０００Ｄａであってよい。
【００５１】
好適なグラフトコポリマーは、ＢＡＳＦから入手可能なＳｏｋａｌａｎ  ＨＰ２２である。
【００５２】
ｉｉ．アルコキシル化ポリアルキレンイミン
本開示の組成物は、アルコキシル化ポリアルキレンイミンポリマーを含んでよい。アルコキシル化ポリアルキレンイミンは、直鎖状、分枝状、又はこれらの組み合わせ、好ましくは分枝状であってよい。
【００５３】
典型的に、アルコキシル化ポリアルキレンイミンポリマーは、ポリアルキレンイミン骨格鎖を含む。ポリアルキルイミンは、Ｃ２アルキル基、Ｃ３アルキル基、又はこれらの混合物、好ましくはＣ２アルキル基を含んでいてよい。アルコキシル化ポリアルキレンイミンポリマーは、ポリエチレンイミン（「ＰＥＩ」）骨格鎖を有していてよい。
【００５４】
アルコキシル化ＰＥＩは、エトキシル化前に測定したとき、約４００〜約１０００、又は約５００〜約７５０、又は約５５０〜約６５０、又は約６００の重量平均分子量を有するポリエチレンイミン骨格鎖を含んでいてよい。
【００５５】
本明細書に記載のポリマーのＰＥＩ骨格鎖は、アルコキシル化前に、以下の一般実験式：
【００５６】
【化１】
2021528540.tif 000003
（式中、Ｂは、分岐によるこの構造の連続を表す）を有していてよい。いくつかの態様では、ｎ＋ｍは、８、又は１０、又は１２、又は１４、又は１８、又は２２以上である。
【００５７】
アルコキシル化ポリアルキレンイミンポリマーは、アルコキシル化窒素基を含む。アルコキシル化ポリアルキレンイミンポリマーは、独立して、アルコキシル化窒素１個当たり平均して、約５０以下、又は約４０以下、又は約３５以下、又は約３０以下、又は約２５以下、又は約２０以下のアルコキシレート基を含んでいてよい。アルコキシル化ポリアルキレンイミンポリマーは、独立して、アルコキシル化窒素１個当たり平均して、少なくとも約５、又は少なくとも約１０、又は少なくとも約１５、又は少なくとも約２０のアルコキシレート基を含んでいてよい。
【００５８】
アルコキシル化ポリアルキレンイミンポリマー、好ましくはアルコキシル化ＰＥＩは、エトキシレート（ＥＯ）基、プロポキシレート（ＰＯ）基、又はこれらの組み合わせを含んでいてよい。アルコキシル化ポリアルキレンイミンポリマー、好ましくはアルコキシル化ＰＥＩは、エトキシレート（ＥＯ）基を含んでいてよい。アルコキシル化ポリアルキレンイミンポリマー、好ましくはアルコキシル化ＰＥＩは、プロポキシレート（ＰＯ）基を含んでいなくてよい。
【００５９】
アルコキシル化ポリアルキレンイミンポリマー、好ましくはアルコキシル化ＰＥＩは、平均してアルコキシル化窒素あたり、約１〜５０個のエトキシレート（ＥＯ）基及び約０〜５個のプロポキシレート（ＰＯ）基を含むことができる。アルコキシル化ポリアルキレンイミンポリマー、好ましくはアルコキシル化ＰＥＩは、アルコキシル化窒素１個当たり平均して、約１〜５０のエトキシレート（ＥＯ）基を含んでいてよく、かつプロポキシレート（ＰＯ）基を含まない。アルコキシル化ポリアルキレンイミンポリマー、好ましくはアルコキシル化ＰＥＩは、アルコキシル化窒素１個当たり平均して、約１０〜３０のエトキシレート（ＥＯ）基、好ましくは約１５〜２５のエトキシレート（ＥＯ）基を含んでいてよい。
【００６０】
適切なアルコキシル化ポリアルキレンイミンポリマーとしては、プロポキシル化ポリアルキレンイミン（例えば、ＰＥＩ）ポリマーを挙げることができる。プロポキシル化ポリアルキレンイミン（例えば、ＰＥＩ）ポリマーは、エトキシル化されてもよい。プロポキシル化ポリアルキレンイミン（例えば、ＰＥＩ）ポリマーは、内側ポリエチレンオキシドブロックと外側ポリプロピレンオキシドブロックとを有し得、エトキシル化度及びプロポキシル化度は、特定の限界値を上回りも下回りもしない。ポリエチレンブロックのポリプロピレンブロックに対する比（ｎ／ｐ）は、約０．６から、又は約０．８から、又は約１から、最大約１０、又は最大約５、又は最大約３であってよい。ｎ／ｐ比は、約２であり得る。プロポキシル化ポリアルキレンイミンは、約２００ｇ／ｍｏｌ〜約１２００ｇ／ｍｏｌ、又は約４００ｇ／ｍｏｌ〜約８００ｇ／ｍｏｌ、又は約６００ｇ／ｍｏｌの分子量（アルコキシル化前）を有するＰＥＩ主鎖を有することができる。プロポキシル化ポリアルキレンイミンの分子量は、約８，０００〜約２０，０００ｇ／モル、又は約１０，０００〜約１５，０００ｇ／モル、又は約１２，０００ｇ／モルであってよい。
【００６１】
好適なプロポキシル化ポリアルキレンイミンポリマーは、以下の構造の化合物を含み得る：
【００６２】
【化２】
2021528540.tif 000004
（式中、ＥＯは、エトキシレート基であり、ＰＯは、プロポキシレート基である）。上に示す化合物は、ＥＯ：ＰＯのモル比が１０：５（例えば、２：１）であるＰＥＩである。他の同様の好適な化合物は、約１０：５又は約２４：１６のモル比で存在するＥＯ及びＰＯ基を含んでいてよい。
【００６３】
好適なポリアミンとしては、低分子量、水溶性、かつ軽度にアルコキシル化されたエトキシル化／プロポキシル化ポリアルキレンアミンポリマーが挙げられる。「軽度にアルコキシル化された」とは、本発明のポリマーが、窒素１個当たり平均して約０．５〜約２０、又は０．５〜約１０のアルコキシル化を生じさせることを意味する。ポリアミンは「実質的に非荷電」であってもよく、これはｐＨ１０又はｐＨ７でポリアルキレンアミンポリマーの主鎖中に存在する約４０個の窒素ごとに約２個以下の正電荷が存在することを意味する。しかしながら、ポリマーの電荷密度はｐＨとともに変化し得ることが認識されている。
【００６４】
ＰＥＩ６００  ＥＯ２０などの好適なアルコキシル化ポリアルキレンイミンは、ＢＡＳＦ（Ｌｕｄｗｉｇｓｈａｆｅｎ，Ｇｅｒｍａｎｙ）から入手可能である。別の好適なアルコキシル化ポリアルキレンイミンは、ＰＥＩ６００  ＥＯ２４  ＰＯ１６である。
【００６５】
追加の補助剤
本開示の布地処理組成物は、追加の補助成分を含んでよい。かかる補助剤は、標的布地に更なる処理効果をもたらしてよく、かつ／又はそれらは、安定化助剤若しくは加工助剤として組成物に作用してよい。好適な補助剤としては、キレート剤、香料、構造化剤、塩素捕捉剤、悪臭低減材料、有機溶媒、又はこれらの混合物が挙げられてよい。
【００６６】
本開示の布地処理組成物は、キレート剤を含んでよい。キレート剤は、追加の悪臭制御効果をもたらしてよい。追加的に又は代替的に、キレート剤は、例えば、さもなければ布地に堆積し得る物質を隔離することによって、抗付着効果をもたらしてよい。本組成物は、組成物の約０．１重量％〜約１０重量％のキレート剤を含んでよい。好適なキレート剤としては、ホスホネート、アミノカルボキシレート、アミノホスホネート、多官能置換芳香族キレート剤、又はこれらの混合物、好ましくはアミノカルボキシレートが挙げられてよい。特定の好適なキレート剤としては、ＤＴＰＡ（ジエチレントリアミンペンタ酢酸）、ＨＥＤＰ（ヒドロキシエタンジホスホン酸）、ＥＤＤＳ（エチレンジアミン二コハク酸（ＥＤＤＳ）、ＤＴＰＭＰ（ジエチレントリアミンペンタ（メチレンホスホン酸））、ＥＤＴＭＰ（エチレンジアミンテトラ（メチレンホスホン酸））、Ｔｉｒｏｎ（登録商標）（１，２−ジヒドロキシベンゼン−３，５−ジスルホン酸）、ＨＰＮＯ（２−ピリジノール−Ｎ−オキシド）、ＭＧＤＡ（メチルグリシン二酢酸）、ＤＥＴＡ（ジエチレントリアミン）、ＴＥＴＡ（トリエチレンテトラアミン）、ＴＥＰＡ（トレトラエチレンエペンタミン）、これらの任意の好適な誘導体、これらの塩、及びこれらの混合物が挙げられてよい。
【００６７】
本開示の布地処理組成物は、香料を含んでよい。香料は、組成物、処理方法、又は組成物で処理された布地の審美性を改善し得る。香料は、未希釈香料、カプセル化香料、乳化香料、又はこれらの混合物であってよい。封入体が、摩耗及び／又は運動中などの動作時に破裂して、香料を放出し得るため、カプセル化香料は、長持ちする香りの効果に好ましい場合がある。
【００６８】
本明細書で使用するとき、用語「香料」は、香料原料（ＰＲＭ）及び香料アコードを包含する。本明細書で使用するとき、用語「香料原料」は、少なくとも約１００ｇ／モルの分子量を有する化合物であって、匂い、芳香、エッセンス又は香りを、単独で又は他の香料原料とともに付与するうえで有用な化合物のことを指す。本明細書で使用するとき、用語「香料成分」及び「香料原料」は互換可能である。本明細書で使用するとき、用語「アコード」は、２種類以上のＰＲＭの混合物のことを指す。一般的なＰＲＭは特に、アルコール、ケトン、アルデヒド、エステル、エーテル、亜硝酸塩、及びテルペンなどのアルケンを含む。
【００６９】
組成物は、布地処理組成物の約０．１重量％〜約１０重量％、又は約０．１重量％〜約５重量％、好ましくは約０．５重量％〜約４重量％、より好ましくは約１重量％〜約３重量％の香料を含み得る。場合によっては、組成物が比較的無香であることが望ましいことがある。そのような場合、追加の香料は添加されず、組成物は、０．１％未満、又は更には０％の香料を含み得る。
【００７０】
組成物は、カプセル化香料を含んでよい。カプセル化香料は、香料を壁物質で少なくとも部分的に囲むことによって形成されてよい。カプセル壁物質は、メラミン、ポリアクリルアミド、シリコーン、シリカ、ポリスチレン、ポリ尿素、ポリウレタン、ポリアクリレート系物質、ポリアクリル酸エステル系物質、ゼラチン、スチレンリンゴ酸無水物、ポリアミド、芳香族アルコール、ポリビニルアルコール、又はこれらの混合物を含んでよい。メラミン壁物質は、ホルムアルデヒドで架橋されたメラミン、ホルムアルデヒドで架橋されたメラミン−ジメトキシエタノール、及びそれらの混合物を含んでよく、かかる壁物質を有する封入体は、アセトアセトアミド、尿素、又はこれらの誘導体などホルムアルデヒド捕捉剤と組み合わせて使用されてよい。ポリアクリレート系壁物質には、メチルメタクリレート／ジメチルアミノメチルメタクリレートから形成されるポリアクリレート、アミンアクリレート及び／又はメタクリレート並びに強酸から形成されるポリアクリレート、カルボン酸アクリレート及び／又はメタクリレートモノマー並びに強塩基から形成されるポリアクリレート、アミンアクリレート及び／又はメタクリレートモノマー並びにカルボン酸アクリレート及び／又はカルボン酸メタクリレートモノマーから形成されるポリアクリレート、並びにそれらの混合物が含まれ得る。
【００７１】
香料カプセルは、付着助剤、カチオン性ポリマー、非イオン性ポリマー、アニオン性ポリマー、又はこれらの混合物でコーティングされてもよい。好適なポリマーは、ポリビニルホルムアルデヒド、部分ヒドロキシル化ポリビニルホルムアルデヒド、ポリビニルアミン、ポリエチレンイミン、エトキシル化ポリエチレンイミン、ポリビニルアルコール、ポリアクリレート、多糖類（例えば、キトサン）、及びこれらの組み合わせからなる群から選択され得る。
【００７２】
一態様では、１種以上の封入体、例えば、２種の封入体であって、第１又は第２の封入体のうちの一方が、（ａ）他方とは異なる壁物質からなる壁を有するか、（ｂ）他方とは異なる量の壁材料若しくはモノマーを含む壁を有するか、又は（ｃ）他方とは異なる量の香油成分を含有する；又は（ｄ）異なる香油を含有する、マイクロカプセルを使用してもよい。封入体は、スラリーとして組成物に添加されてよい。
【００７３】
本開示の布地処理組成物は、特に組成物が液体形態である場合、外部構造化剤を含んでよい。本開示によるグラフトポリマーを含む液体布地処理組成物は、物理的に安定でないことがあり得ること、例えば、かかる組成物は相分離し得ることが見出されている。外部構造化剤は、本開示による液体組成物に物理的安定性をもたらし得ることが更に見出されている。外部構造化剤は、非ポリマー結晶性ヒドロキシ官能性構造化剤及び／又はポリマー構造化剤を含んでよい。
【００７４】
非ポリマー結晶性ヒドロキシル官能性構造化剤は、最終洗剤組成物への分散を補助するために予め乳化することができる、結晶化可能なグリセリドを含んでよい。好適な結晶化可能なグリセリドとしては、液体洗剤組成物内で結晶化させることができるという条件で、硬化ヒマシ油又は「ＨＣＯ」又はこれらの誘導体が挙げられる。
【００７５】
ポリマー構造化剤は、天然由来の構造化剤及び／又は合成構造化剤を含んでよい。天然由来のポリマー構造化剤としては、ヒドロキシエチルセルロース、疎水変性ヒドロキシエチルセルロース、カルボキシメチルセルロース、多糖誘導体、及びこれらの混合物が挙げられる。好適な多糖類誘導体としては、ペクチン、アルギネート、アラビノガラクタン（アラビアガム）、カラギーナン、ジェランガム、キサンタンガム、グアーガム、及びこれらの混合物が挙げられる。構造化剤は、例えばミクロフィブリル化セルロースの形態のセルロース繊維を含んでよい。セルロースは、細菌、木材、又は果物若しくは甜菜など他の植物由来であってよい。
【００７６】
合成ポリマー構造剤としては、ポリカルボキシレート、ポリアクリレート、疎水変性エトキシル化ウレタン、疎水変性非イオン性ポリオール、及びこれらの混合物が挙げられる。ポリカルボキシレートポリマーは、ポリアクリレート、ポリメタクリレート、又はこれらの混合物であってよい。ポリアクリレートは、不飽和モノ−又はジ−炭酸と、（メタ）アクリル酸のＣ１〜Ｃ３０アルキルエステルとのコポリマーであってもよい。かかるコポリマーは、Ｌｕｂｒｉｚｏｌ  Ｃｏｒｐ．から商品名Ｃａｒｂｏｐｏｌ（登録商標）Ａｑｕａ  ３０として入手可能である。Ｒｈｅｏｖｉｓ  ＣＤＥ（ＢＡＳＦ）も好適であり得る。
【００７７】
本開示の布地処理組成物は、塩素捕捉剤を含んでよい。塩素は、処理液を形成するために提供される水中に存在してよく、得られる塩化物イオンは、運動用衣類に一般的である弾性繊維を分解し得る。好適な塩素補足剤としては、塩化アンモニウム、第一級アミン（モノエタノールアミンなど）、及び当業者に既知の他のものが挙げられてよい。
【００７８】
本開示の布地処理組成物は、悪臭低減材料を含んでよい。かかる物質は、１種以上の悪臭に対する知覚を低下させる、又は更には知覚しないようにさせることができる。好適な悪臭低減材料としては、３−（３，３−ジメチル−２，３−ジヒドロ−１Ｈ−インデン−５−イル）プロパナール、３−（６，６−ジメチルビシクロ［３．１．１］ヘプタ−２−エン−２−イル）−２，２−ジメチルプロパナール；３−メチル−５−フェニルペンタン−１−オール、Ｅ）−３，７−ジメチルオクタ−２，６−ジエン−１−イルパルミテート；３ａ，４，５，６，７，７ａ−ヘキサヒドロ−４，７−メタノ−１Ｈ−インデン−（５及び６）−イルアセテート；３，４，４ａ，５，６，７，８，８ａ−オクタヒドロクロメン−２−オン；２，２，７，７−テトラメチルトリシクロ（６．２．１．０（１，６））−ウンデカン−５−オン；（Ｅ）−３，７−ジメチルオクタ−１，３，６−トリエン；１−（（２−（ｔｅｒｔ−ブチル）シクロヘキシル）オキシ）ブタン−２−オール；又はこれらの組み合わせなどの様々な材料から作製され得る。悪臭低減材料は、例えば、メラミン−ホルムアルデヒド壁物質を含む封入体に封入されてよい。
【００７９】
本開示の布地処理組成物は、布地コンディショニング活性物質を含んでよい。かかる活性物質を含む組成物は、柔軟性、しわ防止、静電気防止、コンディショニング、抗伸張、色、及び／又は外観効果など、様々な効果を標的布地にもたらすために有用である。布地処理組成物は、組成物の約１重量％、又は約２重量％、又は約３重量％〜約３０重量％、又は約２５重量％、又は約２０重量％、又は約１５重量％、又は約１０重量％のＦＣＡを含み得る。布地処理組成物は、組成物の約５重量％〜約３０重量％のＦＣＡを含み得る。
【００８０】
本開示の組成物に好適な布地コンディショニング活性物質としては、第四級アンモニウムエステル化合物、シリコーン、非エステル第四級アンモニウム化合物、アミン、脂肪酸エステル、ショ糖エステル、シリコーン、分散性ポリオレフィン、多糖類、脂肪酸、柔軟化若しくはコンディショニング油、ポリマーラテックス、又はこれらの組み合わせが挙げられてよい。組成物は、第四級アンモニウムエステル化合物、シリコーン、又はこれらの組み合わせ、好ましくは組み合わせを含んでよい。
【００８１】
本開示の組成物は、布地コンディショニング活性物質として第四級アンモニウムエステル化合物を含んでよい。第四級アンモニウムエステル化合物（「エステルクワット」と称することもある）は、組成物の約２重量％〜約４０重量％、又は約３重量％〜約２５重量％、好ましくは４重量％〜１８重量％、より好ましくは５重量％〜１５重量％の濃度で存在し得る。第四級アンモニウムエステル化合物は、組成物の０重量％超〜約３０重量％、又は約１重量％〜約２５重量％、又は約３重量％〜約２０重量％、又は約４．０重量％〜１８重量％、より好ましくは４．５重量％〜１５重量％、更により好ましくは５．０重量％〜１２重量％の濃度で存在し得る。第四級アンモニウムエステル化合物の濃度は、本組成物（希釈又は濃縮組成物）中の全布地コンディショニング活性物質の所望の濃度、及び他のＦＣＡの有無に依存し得る。しかしながら、経時的に粘度が増加することのリスクは、典型的には、より高いＦＣＡ濃度を有する布地処理組成物の方が高い。一方、非常に高いＦＣＡ濃度では、粘度はもはや十分に制御することができないので、製品が使用に適さなくなる。
【００８２】
好ましくは、第四級アンモニウム布地化合物が形成される親脂肪酸のヨウ素価（ＩＶ）は、約０〜約９０、又は約１０〜約７０、又は約１５〜約５０、又は約１８〜約３０であり得る。ヨウ素価は、約２５〜５０、好ましくは３０〜４８、より好ましくは３２〜４５であり得る。
【００８３】
好適な第四級アンモニウムエステル化合物としては、モノエステルクワット、ジエステルクワット、及びトリエステルクワット、並びにこれらの混合物からなる群から選択される物質が挙げられるが、これらに限定されない。好ましくは、全第四級アンモニウムエステル化合物を基準として、モノエステルクワットの濃度は、２．０％〜４０．０％であり、ジエステルクワットの濃度は、４０．０％〜９８．０％であり、トリエステルクワットの濃度は、０．０％〜２５．０％である。
【００８４】
第四級アンモニウムエステル化合物は、以下：
｛Ｒ２（４−ｍ）−Ｎ＋−［Ｘ−Ｙ−Ｒ１］ｍ｝Ａ−
の式の化合物を含み得、式中、
ｍは、１、２又は３であるが、ただし、各ｍの値は、同一であり、
各Ｒ１は独立して、ヒドロカルビル基又は分岐鎖状ヒドロカルビル基であり、好ましくは、Ｒ１は、直鎖状であり、より好ましくは、Ｒ１は、部分不飽和直鎖状アルキル鎖であり、
各Ｒ２は、独立して、Ｃ１〜Ｃ３アルキル基又はヒドロキシアルキル基であり、好ましくは、Ｒ２は、メチル、エチル、プロピル、ヒドロキシエチル、２−ヒドロキシプロピル、１−メチル−２−ヒドロキシエチル、ポリ（Ｃ２〜Ｃ３アルコキシ）、ポリエトキシ、ベンジルから選択され、
各Ｘは、独立して、−（ＣＨ２）ｎ−、−ＣＨ２−ＣＨ（ＣＨ３）−又は−ＣＨ−（ＣＨ３）−ＣＨ２−であり、
各ｎは、独立して、１、２、３又は４であり、好ましくは、各ｎは、２であり、
各Ｙは、独立して、−Ｏ−（Ｏ）Ｃ−又は−Ｃ（Ｏ）−Ｏ−であり、
Ａ−は、独立して、塩化物、硫酸メチル、及び硫酸エチルからなる群から選択され、好ましくは、Ａ−は、塩化物及び硫酸メチルからなる群から選択され、より好ましくは、Ａ−は、硫酸メチルである）を含み得るが、
ただし、Ｙが−Ｏ−（Ｏ）Ｃ−であるときには、各Ｒ１における炭素の合計は、１３〜２１、好ましくは、１３〜１９である。好ましくは、Ｘは、−ＣＨ２−ＣＨ（ＣＨ３）−又は−ＣＨ−（ＣＨ３）−ＣＨ２−であって、第四級アンモニウムエステル化化合物の加水分解安定性を改善し、ひいては布地処理組成物の安定性を更に改善する。
【００８５】
好適な第四級アンモニウムエステル化合物の例は、Ｅｖｏｎｉｋから商標名Ｒｅｗｏｑｕａｔ  ＷＥ１８、Ｒｅｗｏｑｕａｔ  ＷＥ２０として、Ｓｔｅｐａｎから商標名Ｓｔｅｐａｎｔｅｘ  ＧＡ９０、Ｓｔｅｐａｎｔｅｘ  ＶＫ９０、Ｓｔｅｐａｎｔｅｘ  ＶＬ９０Ａとして市販されている。
【００８６】
布地処理組成物は、布地コンディショニング剤としてシリコーンを含み得る。シリコーンの好適な濃度は、組成物の約０．１重量％〜約７０重量％、又は約０．３重量％〜約４０重量％、又は約０．５重量％〜約３０重量％、あるいは約１重量％〜約２０重量％を含み得る。
【００８７】
有用なシリコーンは、任意のシリコーン含有化合物であり得る。シリコーンポリマーは、環状シリコーン、ポリジメチルシロキサン、アミノシリコーン、カチオン性シリコーン、シリコーンポリエーテル、シリコーン樹脂、シリコーンウレタン、及びこれらの混合物からなる群から選択され得る。シリコーンは、ポリジメチルシリコーン（ポリジメチルシロキサン、すなわち「ＰＤＭＳ」））などポリジアルキルシリコーン、又はこれらの誘導体を含み得る。シリコーンは、アミノ官能性シリコーン、アミノ−ポリエーテルシリコーン、アルキルオキシル化シリコーン、カチオン性シリコーン、エトキシル化シリコーン、プロポキシル化シリコーン、エトキシル化／プロポキシル化シリコーン、第四級シリコーン、又はこれらの組み合わせを含み得る。シリコーンは、ポリジメチルシリコーン、アミノシリコーン、又はこれらの組み合わせ、好ましくはアミノシリコーンを含み得る。
【００８８】
シリコーンは、ランダム又は塊状の有機シリコーンポリマーを含み得る。シリコーンは、エマルションとして提供されてよい。
【００８９】
シリコーンは、比較的高い分子量によって特徴付けられてよい。シリコーンの分子量を記載するための好適な方法としては、その粘度を記載することが挙げられる。高分子量シリコーンは、約１０ｃＳｔ〜約３，０００，０００ｃＳｔ、又は約１００ｃＳｔ〜約１，０００，０００ｃＳｔ、又は約１，０００ｃＳｔ〜約６００，０００ｃＳｔ、又は更には約６，０００ｃＳｔ〜約３００，０００ｃＳｔの粘度を有するものであり得る。
【００９０】
以下の実施例に示すように、本開示のポリマー系は、第四級アンモニウムエステル化合物など布地コンディショニング活性物質も含む組成物において、相対的なウィッキング効果をもたらすことができる。しかしながら、いくつかの実施例は、本開示のポリマー系が、布地コンディショニング活性物質と組み合わせて使用されない場合、更により良好な効果をもたらし得ることを示す。更に、いくつかの衣類製造業者は、特定の合成繊維を含有するものなど特定の衣類と組み合わせて布地柔軟剤を使用しないことを推奨する。したがって、本開示による組成物は、布地コンディショニング活性物質が存在するとしても、その量を最小限に抑えることが好ましい場合がある。例えば、組成物は、組成物の約５重量％未満、又は約３重量％未満、又は約１重量％未満、又は約０．１重量％、又は０重量％の布地コンディショニング活性物質、例えば上記のものを含んでよい。組成物は、第四級アンモニウムエステル化合物など布地コンディショニング活性物質を実質的に含まなくてよい。
【００９１】
本開示の組成物は、酸化防止剤を含み得る。理論に束縛されるものではないが、酸化防止剤は、組成物の悪臭制御及び／又は洗浄性能を改善するのに役立ち得、悪臭制御は、発汗に基づく汚れを蓄積し得る合成織物及び／又は運動着で特に有用であり得ると考えられる。酸化防止剤は、Ｋｉｒｋ−Ｏｔｈｍｅｒ（第３巻、４２４ページ）及びＵｌｌｍａｎｎのＥｎｃｙｃｌｏｐｅｄｉａ（第３巻、９１ページ）に記載されているような物質である。
【００９２】
本開示の組成物は、組成物の約０．００１重量％〜約２重量％、好ましくは約０．０１重量％〜約０．５重量％の量の酸化防止剤、好ましくはヒンダードフェノール酸化防止剤を含み得る。
【００９３】
好適な酸化防止剤としては、以下の一般式：
【００９４】
【化３】
2021528540.tif 000005
（式中、Ｒは、それぞれ、（１）所望により、その中に１つ以上のエステル（−ＣＯ２−）又はエーテル（−Ｏ−）結合を有し、かつ（２）所望により、ＥＯ（エトキシ）、ＰＯ（プロポキシ）、ＢＯ（ブトキシ）、及びこれらの混合物から、より好ましくはＥＯ単独又はＥＯ／ＰＯ混合物から選択されるアルキレンオキシ又はポリアルキレンオキシ基を含む有機基によって置換されている、Ｃ１〜Ｃ２２直鎖状アルキル又はＣ３〜Ｃ２２分枝状アルキルであり、Ｒは、好ましくは、メチル、分枝状Ｃ３〜Ｃ６アルキル、又はＣ１〜Ｃ６アルコキシ、好ましくはメトキシであってよく、Ｒ１は、Ｃ３〜Ｃ６分枝鎖アルキル、好ましくはｔｅｒｔ−ブチルであり、ｘは、１又は２である）を有するアルキル化フェノールを挙げることができる。
【００９５】
この式を有するアルキル化フェノールの好ましい種類としては、ヒンダードフェノール化合物を挙げることができる。本明細書で使用するとき、用語「ヒンダードフェノール」は、（ａ）少なくとも１つのフェノール−ＯＨ基に対してオルト位に結合している少なくとも１つのＣ３以上の分枝状アルキル、好ましくはＣ３〜Ｃ６分枝状アルキル、好ましくはｔｅｒｔ−ブチル、あるいは（ｂ）少なくとも１つのフェノール−ＯＨ基に対してそれぞれオルト位に結合しているＣ１〜Ｃ６アルコキシ、好ましくはメトキシ、Ｃ１〜Ｃ２２直鎖状アルキル、若しくはＣ３〜Ｃ２２分枝状アルキル、好ましくはメチル若しくは分枝状Ｃ３〜Ｃ６アルキル、又はこれらの混合物からなる群から独立して選択される置換基のいずれかを有する、フェノール基を含む化合物を指すために使用される。フェニル環が複数の−ＯＨ基を含む場合、化合物は、少なくとも１つのこのような−ＯＨ基が直上に記載されているように置換されている限りヒンダードフェノールである。上記構造中の任意のＲ基が３つ以上の連続するモノマーを含む場合、酸化防止剤は、本明細書において「ポリマーヒンダードフェノール酸化防止剤」と定義される。本開示にかかる組成物は、ヒンダードフェノール酸化防止剤を含んでいてよい。好ましいヒンダードフェノール酸化防止剤としては、３，５−ジ−ｔｅｒｔ−ブチル−４−ヒドロキシトルエン（ＢＨＴ）が挙げられる。
【００９６】
組成物に使用するのに好適であり得るヒンダードフェノール酸化防止剤の更なる分類は、以下の式：
【００９７】
【化４】
2021528540.tif 000006
（式中、Ｒ１及びＲ２は、それぞれ独立して、アルキルであるか、又はＲ１及びＲ２は一緒になってＣ５〜Ｃ６環状ヒドロカルビル部分を形成してもよく、Ｂは、存在しないか又はＣＨ２であり、Ｒ４は、Ｃ１〜Ｃ６アルキルであり、Ｒ５は、水素又は−Ｃ（Ｏ）Ｒ３であり、Ｒ３は、水素又はＣ１〜Ｃ１９アルキルであり、Ｒ６は、Ｃ１〜Ｃ６アルキルであり、Ｒ７は、水素又はＣ１〜Ｃ６アルキルであり、Ｘは、−ＣＨ２ＯＨ又は−ＣＨ２Ａであり、Ａは、窒素含有単位、フェニル、又は置換フェニルである）を有するベンゾフラン又はベンゾピラン誘導体である。好ましい窒素含有Ａ単位としては、アミノ、ピロリジノ、ピペリジノ、モルホリノ、ピペラジノ、及びこれらの混合物が挙げられる。
【００９８】
好適なヒンダードフェノール酸化防止剤としては、２，６−ビス（１，１−ジメチルエチル）−４−メチル−フェノール、３，５−ビス（１，１−ジメチルエチル）−４−ヒドロキシ−ベンゼンプロパン酸，メチルエステル、３，５−ビス（１，１−ジメチルエチル）−４−ヒドロキシベンゼンプロパン酸，オクタデシルエステル、又はこれらの混合物が挙げられ得る。
【００９９】
好適であり得る市販の酸化防止剤としては、ＢＨＴ、ＲＡＬＯＸ  ３５（商標）（Ｍｉｌｌｉｓｈｉｅｌｄ  ＰＡ  ３５及び／又は３，５−ビス（１，１−ジメチルエチル）−４−ヒドロキシ−ベンゼンプロパン酸、メチルエステルとしても知られる）及び／又はＴＩＮＯＧＡＲＤ  ＴＳ（商標）（３，５−ビス（１，１−ジメチルエチル）−４−ヒドロキシベンゼンプロパン酸、オクタデシルエステル）が挙げられる。
【０１００】
追加の酸化防止剤を使用してもよい。組成物に用いるのに好適な酸化防止剤の例としては、ａ−、ｂ−、ｇ−、ｄ−トコフェロール、エトキシクリン、２，２，４−トリメチル−１，２−ジヒドロキノリン、２，６−ジ−ｔｅｒｔ−ブチルヒドロキノン、ｔｅｒｔ−ブチルヒドロキシアニソール、リグノスルホン酸及びその塩、並びにこれらの混合物からなる群が挙げられるが、これらに限定されない。エトキシキン（１，２−ジヒドロ−６−エトキシ−２，２，４−トリメチルキノリン）は、ＲａｓｃｈｉｇＯによりＲａｌｕｑｕｉｎＯという名称で販売されていることに留意されたい。組成物に使用することができる酸化防止剤の他の種類は、６−ヒドロキシ−２，５，７，８−テトラメチルクロマン−２−カルボン酸（ＴｒｏｌｏｘＯ）及び１，２−ベンズイソチアゾリン−３−オン（Ｐｒｏｘｅｌ  ＧＸＬＯ）である。トコフェロールソルベート、ブチル化ヒドロキシル安息香酸及びその塩、没食子酸及びそのアルキルエステル、尿酸及びその塩、ソルビン酸及びその塩、並びにジヒドロキシフマル酸及びその塩などの酸化防止剤も有用であり得る。他の有用な酸化防止剤としては、ガロタンニン、エラジタンニン、複合タンニン、縮合型タンニン、及びこれらの組み合わせからなる群から選択されるタンニンが挙げられてよい。
【０１０１】
非黄変ヒンダードフェノール酸化防止剤などの非黄変酸化防止剤の使用が好ましい場合もある。消費者体験において知覚可能な負の属性（例えば、布地への黄色副生成物の付着など）につながる場合、このような黄色副生成物を形成する酸化防止剤を回避してもよい。当業者は、使用する抗酸化物質の選択に関して詳細な情報を得たうえで決定を行うことができる。
【０１０２】
本開示の組成物は、アニオン性界面活性剤など洗浄性界面活性剤が存在するとしても、比較的少量を含み得る。理論に束縛されるものではないが、かかる界面活性剤は、例えば、布地に付着するＳＲＰの量を制限することによって、本ポリマー系のウィッキング効果を阻害し得ると考えられる。組成物は、組成物の約５重量％未満、又は約３重量％未満、又は約１重量％未満、又は約０．１重量％未満、又は０重量％の洗浄性界面活性剤、好ましくはアニオン性界面活性剤を含んでよい。組成物は、洗浄性界面活性剤を実質的に含まなくてよく、好ましくはアニオン性界面活性剤を実質的に含まなくてよい。洗濯製品に一般的なアニオン性界面活性剤としては、直鎖状アルキルベンゼンスルホネート（ＬＡＳ）などアニオン性スルホネート界面活性剤、アルコキシル化及び／若しくは非アルコキシル化サルフェート界面活性剤など硫酸化界面活性剤、又はこれらの混合物が挙げられてよい。アニオン性界面活性剤は、直鎖状又は分枝鎖状であってよい。注目すべきことに、かかる界面活性剤は、本組成物において好ましくない場合があるが、本組成物は、例えばレジメンにおいて、かかる組成物と組み合わせて使用され得る。
【０１０３】
前段落にもかかわらず、組成物は非イオン性界面活性剤を含んでよい。非イオン性界面活性剤は、例えば、組成安定性及び／又は泡制御を補助し得る。組成物は、非イオン性界面活性剤が存在する場合、組成物の約０．１重量％〜約１０重量％、又は約１重量％〜約１０重量％、又は約４重量％〜約１０重量％、又は約５重量％〜約１０重量％、又は約６重量％〜約１０重量％の量で非イオン性界面活性剤を含んでよい。好適な非イオン性界面活性剤としては、ＮＥＯＤＯＬ（登録商標）の商標名で販売されているものなどエトキシル化アルコールが挙げられてよい。
【０１０４】
本開示の組成物は、漂白剤又は漂白系が存在するとしても、比較的少量を含み得る。理論に束縛されるものではないが、漂白剤又は漂白系は、本組成物のポリマーを分解し得ると考えられる。組成物は、組成物の約５重量％未満、又は約３重量％未満、又は約１重量％未満、又は約０．１重量％未満、又は０重量％の漂白剤又は漂白系を含んでよい。組成物は、漂白剤又は漂白系を実質的に含まなくてよい。漂白剤としては、光漂白剤、漂白活性剤、過酸化水素、過酸化水素源、予形成過酸、次亜塩素酸塩型漂白剤、及びこれらの混合物が挙げられてよい。組成物はまた、漂白触媒、漂白活性化剤（例えば、ＮＯＢＳ又はＴＡＥＤ）、及び／又は漂白系中に存在し得る他の成分を実質的に含まなくてよい。
【０１０５】
本開示の組成物は、布地、特に弾性繊維を含む布地に望ましくない付着をもたらし得る炭酸塩が存在するとしても、比較的少量を含み得る。組成物は、組成物の約５重量％未満、又は約３重量％未満、又は約１重量％未満、又は約０．１重量％未満、又は０％の炭酸塩、クエン酸塩、クエン酸、又はこれらの組み合わせを含み得る。組成物は、炭酸塩、クエン酸塩、クエン酸、又はこれらの組み合わせを実質的に含まなくてよい。
【０１０６】
組成物は、例えば加工助剤として有用であり得る、シリコーンなど泡抑制剤又は消泡剤を含んでよい。
【０１０７】
布地を処理する方法
本開示は、本開示のポリマー系で布地を処理する方法に関する。
【０１０８】
例えば、本開示の方法は、布地を本開示による組成物と接触させることを含んでよい。接触は、水の存在下で生じてよい。組成物は、水に希釈及び／又は溶解されて、処理液を形成してよい。
【０１０９】
本開示の方法は、布地を水性処理液と接触させることを含んでよい。水性処理液は、約１０ｐｐｍ、又は約２０ｐｐｍ、又は約３０ｐｐｍ、又は約４０ｐｐｍ、又は約５０ｐｐｍ、又は約６０ｐｐｍ、又は約７０ｐｐｍ〜約２００ｐｐｍ、又は約１５０ｐｐｍ、又は約１２０ｐｐｍ、又は約１００ｐｐｍ、又は約９０ｐｐｍの全ポリマー（第１のポリマー（ａ）＋第２のポリマー（ｂ）として決定される）を含んでよい。水性処理液は、約１０ｐｐｍ、又は約２０ｐｐｍ、又は約２５ｐｐｍ、又は約３０ｐｐｍ、又は約３５ｐｐｍ〜約１００ｐｐｍ、又は約８０ｐｐｍ、又は約６０ｐｐｍ、又は約５０ｐｐｍ、又は約４５ｐｐｍの第１のポリマー（ａ）（より詳細に上述したように、汚れ放出ポリマー、好ましくはテレフタレート由来の汚れ放出ポリマー（ＳＲＰ））を含んでよい。水性処理液は、約１０ｐｐｍ、又は約２０ｐｐｍ、又は約２５ｐｐｍ、又は約３０ｐｐｍ、又は約３５ｐｐｍ〜約１００ｐｐｍ、又は約８０ｐｐｍ、又は約６０ｐｐｍ、又は約５０ｐｐｍ、又は約４５ｐｐｍの、より詳細に上述したように、グラフトコポリマー、好ましくはＰＥＧ／酢酸ビニルグラフトコポリマー、アルコキシル化ポリアルキレンイミンポリマー、又はこれらの混合物であり得る、第２のポリマー（ｂ）を含んでよい。
【０１１０】
布地を処理する方法は、任意の好適な容器、例えば自動洗濯機で行われてよい。かかる機械は、トップローディング式機械装置又はフロントローディング式機械装置であってよい。
【０１１１】
接触工程は、自動洗濯機のすすぎサイクルの一環であってよい。水性処理液は、水性すすぎ液であってよい。本開示による組成物は、すすぎサイクル中に自動洗濯機のドラムに添加されてよい。
【０１１２】
本開示の方法は、布地を水性洗浄液と接触させることを含んでよい。布地を水性洗浄液と接触させる工程は、布地を水性すすぎ液と接触させる前に生じてよい。かかる工程は、単一処理サイクル中に生じてよい。水性洗浄液は、水に溶解する、又は希釈される粒状又は液体洗濯洗剤組成物など洗剤組成物を含んでよい。洗剤組成物は、アニオン性界面活性剤を含んでよい。水性洗浄液は、約５０ｐｐｍ〜約５０００ｐｐｍ、又は約１００ｐｐｍ〜約１０００ｐｐｍのアニオン性界面活性剤を含んでよい。好適なアニオン性界面活性剤は、上記のとおりである。
【０１１３】
水性すすぎ液、好ましくは第１の水性すすぎ液は、約５００ｐｐｍ未満、又は約２５０ｐｐｍ未満、又は約１００ｐｐｍ未満のアニオン性界面活性剤を含んでよい。アニオン性界面活性剤は、水性すすぎ液に意図的に添加されないことがある。一部のアニオン性界面活性剤は、洗浄サイクル及び／又は水性洗浄液からすすぎサイクル及び／又は水性すすぎ液に持ち越されることがあり得る。
【０１１４】
処理される布地は、合成織物であってよい。好適な合成織物としては、ポリエステル、アクリル、ナイロン、レーヨン、アセテート、スパンデックス、ラステックス、及び／又はオーロン織物が挙げられる。
【０１１５】
処理される布地は、合成繊維を含んでよい。好適な合成繊維としては、ポリエステル、アクリル、ナイロン、レーヨン、アセテート、スパンデックス、ラステックス、及び／又はオーロン繊維が挙げられてよい。繊維は弾性であってよく、及び／又はエラスタンを含有してよい。布地は、合成繊維と天然繊維とのブレンド（例えば、ポリコットンブレンド）を含有してよい。布地は、比較的疎水性である（例えば、綿繊維と比較して）繊維を含んでよい。
【０１１６】
グラフトコポリマーの使用
本開示は、グラフトコポリマー並びに／又はグラフトコポリマー及びＳＲＰを含むポリマー系の使用に関する。例えば、本開示は、任意にテレフタレート由来の汚れ放出ポリマー（ＳＲＰ）と組み合わせる、ＰＥＧ／酢酸ビニルグラフトコポリマーの使用であって、コポリマー及び任意にＳＲＰを含まない同様の組成物で布地を処理する場合と比較して、コポリマー及び任意にＳＲＰを含む組成物で布地を処理した後の布地のウィッキング性能を改善する、又は維持するための、使用に関する。
【０１１７】
ＰＥＧ／酢酸ビニルグラフトコポリマー、テレフタレート由来の汚れ放出ポリマー（ＳＲＰ）、組成物、及び／又は処理方法のいずれか又は全ては、上記のとおりであり得る。
【０１１８】
組み合わせ
本開示の具体的に想到される組み合わせを、ここで以下のアルファベットを付した項に記載する。これらの組み合わせは、事実上例示的なものであり、限定的であることを意図したものではない。
【０１１９】
Ａ．（ａ）組成物の約１重量％〜約２５重量％、又は約１重量％〜約２０重量％、又は約１重量％〜約１５重量％の第１のポリマーであって、第１のポリマーは汚れ放出ポリマー（ＳＲＰ）である、第１のポリマーと、（ｂ）組成物の約１重量％〜約２５％、又は約１重量％〜約２０重量％、又は約１重量％〜約１５重量％の第２のポリマーであって、第２のポリマーは、グラフトコポリマー、アルコキシル化ポリアルキレンイミンポリマー、又はこれらの混合物であり、グラフトコポリマーが存在する場合、グラフトコポリマーは、（ｉ）グラフトベースとしての水溶性ポリアルキレンオキシドと、（ｉｉ）ビニルエステル成分の重合によって形成される１つ以上の側鎖と、を含む、第２のポリマーと、を含む、布処理組成物であって、組成物は、組成物の約５重量％未満のアニオン性界面活性剤を含む、布処理組成物。
【０１２０】
Ｂ．（ａ）第１のポリマーであって、第１のポリマーは汚れ放出ポリマーである、第１のポリマーと、（ｂ）第２のポリマーであって、第２のポリマーはグラフトコポリマー、アルコキシル化ポリアルキレンイミン、又はこれらの混合物であり、グラフトコポリマーが存在する場合、グラフトコポリマーは、（ｉ）グラフトベースとしての水溶性ポリアルキレンオキシドと、（ｉｉ）ビニルエステル成分の重合によって形成される１つ以上の側鎖とを含む、第２のポリマーと、を含む、布地処理組成物であって、（ａ）＋（ｂ）の総重量は、組成物の約２重量％〜約３０重量％、約３重量％〜約３０重量％、約４重量％〜約３０重量％である、布地処理組成物。
【０１２１】
Ｃ．（ａ）対（ｂ）の重量比は、約１：２〜約８：１、又は約１：１〜約７：１、又は約１：１〜約５：１、又は約１：１〜約３：１、又は約１：１〜約２：１である、段落Ａ〜Ｂのいずれかに記載の布地処理組成物。
【０１２２】
Ｄ．組成物は、組成物の少なくとも約２重量％、又は少なくとも約３重量％、又は少なくとも約４重量％、又は少なくとも約５重量％、又は少なくとも約６重量％、又は少なくとも約７重量％、又は少なくとも約８重量％、又は少なくとも約９重量％、又は少なくとも約１０重量％のポリマー（ａ）を含む、段落Ａ〜Ｃのいずれかに記載の布地処理組成物。
【０１２３】
Ｅ．組成物は、組成物の少なくとも約２重量％、又は少なくとも約３重量％、又は少なくとも約４重量％、又は少なくとも約５重量％、又は少なくとも約６重量％、又は少なくとも約７重量％、又は少なくとも約８重量％、又は少なくとも約９重量％、又は少なくとも約１０重量％のポリマー（ｂ）を含む、段落Ａ〜Ｄのいずれかに記載の布地処理組成物。
【０１２４】
Ｆ．第１のポリマーは、（Ｉ）、（ＩＩ）、又は（ＩＩＩ）：
（Ｉ）−［（ＯＣＨＲ１−ＣＨＲ２）ａ−Ｏ−ＯＣ−Ａｒ−ＣＯ−］ｄ
（ＩＩ）−［（ＯＣＨＲ３−ＣＨＲ４）ｂ−Ｏ−ＯＣ−ｓＡｒ−ＣＯ−］ｅ
（ＩＩＩ）−［（ＯＣＨＲ５−ＣＨＲ６）ｃ−ＯＲ７］ｆ
による構造を含み、式中、ａ、ｂ及びｃは、１〜２００であり、ｄ、ｅ及びｆは、１〜５０であり、Ａｒは、１，４−置換フェニレンであり、ｓＡｒは、５位がＳＯ３Ｍで置換されている１，３−置換フェニレンであり、Ｍｅは、Ｎａ、Ｌｉ、Ｋ、Ｍｇ／２、Ｃａ／２、Ａｌ／３、アンモニウム、モノ−、ジ−、トリ−、若しくはテトラ−アルキルアンモニウム（アルキル基は、Ｃ１〜Ｃ１８アルキル又はＣ２〜Ｃ１０ヒドロキシアルキルである）、又はこれらの混合物から選択される対イオンであり、Ｒ１、Ｒ２、Ｒ３、Ｒ４、Ｒ５、及びＲ６は、Ｈ又はＣ１〜Ｃ１８ｎ−又はイソ−アルキルから独立して選択され、Ｒ７は、直鎖状若しくは分枝鎖状Ｃ１〜Ｃ１８アルキル、又は直鎖状若しくは分枝鎖状Ｃ２〜Ｃ３０アルケニル、又は５〜９個の炭素原子を有するシクロアルキル基、又はＣ８〜Ｃ３０アリール基、又はＣ６〜Ｃ３０アリールアルキル基である、段落Ａ〜Ｅのいずれかに記載の布地処理組成物。
【０１２５】
Ｇ．第１のポリマーは、テレフタレート由来の汚れ放出ポリマー、好ましくはＰＥＴ／ＰＯＥＴ汚れ放出ポリマーである、段落Ａ〜Ｆのいずれかに記載の布地処理組成物。
【０１２６】
Ｈ．第１のポリマーは非イオン性ＳＲＰである、段落Ａ〜Ｇのいずれかに記載の布地処理組成物。
【０１２７】
Ｉ．第２のポリマーはグラフトコポリマーを含む、段落Ａ〜Ｈのいずれかに記載の布地処理組成物。
【０１２８】
Ｊ．グラフトベースの水溶性ポリアルキレンオキシドはエチレンオキシドを含む、段落Ａ〜Ｉのいずれかに記載の布地処理組成物。
【０１２９】
Ｋ．ビニルエステル成分は酢酸ビニルを含む、段落Ａ〜Ｊのいずれかに記載の布地処理組成物。
【０１３０】
Ｌ．グラフトコポリマーは、２５〜６０重量％のグラフトベース（ｉ）と、４０〜７５重量％のビニルエステル成分（ｉｉ）と、を含む、段落Ａ〜Ｋのいずれかに記載の布地処理組成物。
【０１３１】
Ｍ．グラフトコポリマーは、５０個のエチレンオキシド基当たり約１つ以下のグラフト部位を含む、段落Ａ〜Ｌのいずれかに記載の布地処理組成物。
【０１３２】
Ｎ．第２のポリマーはアルコキシル化ポリアルキレンイミン（polyalkyleneime）ポリマーを含む、段落Ａ〜Ｍのいずれかに記載の布地処理組成物。
【０１３３】
Ｏ．アルコキシル化ポリアルキレンイミンはエトキシレート（ＥＯ）基、プロポキシレート（ＰＯ）基、又はこれらの組み合わせを含む、段落Ａ〜Ｎのいずれかに記載の布地処理組成物。
【０１３４】
Ｐ．アルコキシル化ポリアルキレンイミンはエトキシレート（ＥＯ）基を含む、段落Ａ〜Ｏのいずれかに記載の布地処理組成物。
【０１３５】
Ｑ．アルコキシル化ポリアルキレンイミンは、平均してアルコキシル化窒素当たり、約１〜５０個のエトキシレート（ＥＯ）基及び約０〜５個のプロポキシレート（ＰＯ）基を含む、段落Ａ〜Ｐのいずれかに記載の布地処理組成物。
【０１３６】
Ｒ．アルコキシル化ポリアルキレンイミンは、平均してアルコキシル化窒素当たり、約１〜５０個のエトキシレート（ＥＯ）基を含み、プロポキシレート（ＰＯ）基を含まない、段落Ａ〜Ｑのいずれかに記載の布地処理組成物。
【０１３７】
Ｆ．アルコキシル化ポリアルキレンイミンは、平均してアルコキシル化窒素当たり、約１０〜３０個のエトキシレート（ＥＯ）基、好ましくは約１５〜２５個のエトキシレート（ＥＯ）基を含む、段落Ａ〜Ｒのいずれかに記載の布地処理組成物。
【０１３８】
Ｇ．アルコキシル化ポリアルキレンイミンはアルコキシル化ポリエチレンイミン（ＰＥＩ）である、段落Ａ〜Ｓのいずれかに記載の布地処理組成物。
【０１３９】
Ｕ．アルコキシル化ポリアルキレンイミンは、エトキシル化前に測定されるとき、約４００〜約１０００、又は約５００〜約７５０、又は約５５０〜約６５０、又は約６００の重量平均分子量を有するポリエチレンイミン主鎖を含む、段落Ａ〜Ｔのいずれかに記載の布地処理組成物。
【０１４０】
Ｕ２．組成物は、酸化防止剤、好ましくはヒンダードフェノール酸化防止剤を、好ましくは組成物の約０．００１重量％〜約２重量％、より好ましくは約０．０１重量％〜約０．５重量％の量で含み、更により好ましくは、酸化防止剤は、（ａ）３，５−ビス（１，１−ジメチルエチル）−４−ヒドロキシ−ベンゼンプロパン酸、メチルエステル、（ｂ）３，５−ビス（１，１−ジメチルエチル）−４−ヒドロキシベンゼンプロパン酸、オクタデシルエステル、又は（ｃ）これらの混合物を含む、段落Ａ〜Ｕのいずれかに記載の布地処理組成物。
【０１４１】
Ｖ．組成物は、組成物の約０．１重量％〜約１０重量％のキレート剤を更に含む、段落Ａ〜Ｕ２のいずれかに記載の布地処理組成物。
【０１４２】
Ｗ．組成物は、組成物の約０．１重量％〜約１０重量％の香料、好ましくは未希釈香料、カプセル化香料、乳化香料、又はこれらの組み合わせを更に含む、段落Ａ〜Ｖのいずれかに記載の布地処理組成物。
【０１４３】
Ｚ．組成物は構造化剤を更に含む、段落Ａ〜Ｗのいずれかに記載の布地処理組成物。
【０１４４】
Ｙ．組成物は塩素捕捉剤を更に含む、段落Ａ〜Ｘのいずれかに記載の布地処理組成物。
【０１４５】
Ｚ．組成物は、３−（３，３−ジメチル−２，３−ジヒドロ−１Ｈ−インデン−５−イル）プロパナール、３−（６，６−ジメチルビシクロ［３．１．１］ヘプタ−２−エン−２−イル）−２，２−ジメチルプロパナール；３−メチル−５−フェニルペンタン−１−オール、Ｅ）−３，７−ジメチルオクタ−２，６−ジエン−１−イルパルミテート；３ａ，４，５，６，７，７ａ−ヘキサヒドロ−４，７−メタノ−１Ｈ−インデン−（５及び６）−イルアセテート；３，４，４ａ，５，６，７，８，８ａ−オクタヒドロクロメン−２−オン；２，２，７，７−テトラメチルトリシクロ（６．２．１．０（１，６））−ウンデカン−５−オン；（Ｅ）−３，７−ジメチルオクタ−１，３，６−トリエン；１−（（２−（ｔｅｒｔ−ブチル）シクロヘキシル）オキシ）ブタン−２−オール；又はこれらの組み合わせから選択される悪臭低減材料を更に含む、段落Ａ〜Ｙのいずれかに記載の布地処理組成物。
【０１４６】
ＡＡ．組成物は、布地コンディショニング活性物質、好ましくは第四級アンモニウムエステル化合物、シリコーン、又はこれらの混合物を更に含む、段落Ａ〜Ｚのいずれかに記載の布地処理組成物。
【０１４７】
ＢＢ．組成物は、組成物の約５重量％未満、又は約３重量％未満、又は約１重量％未満、又は約０．１重量％未満、又は０％のアニオン性界面活性剤、布地コンディショニング活性物質、漂白剤、炭酸塩、又はこれらの組み合わせを含む、段落Ａ〜ＡＡのいずれかに記載の布地処理組成物。
【０１４８】
ＣＣ．組成物は、液体、好ましくは約２〜約７、又は約３〜約６、又は約４〜約５のｐＨを有する液体である、段落Ａ〜ＢＢのいずれかに記載の布地処理組成物。
【０１４９】
ＤＤ．布地を処理する方法であって、方法は、布地を水性処理液と接触させる工程であって、水性処理液は、約１０〜約１００ｐｐｍのＰＥＧ／酢酸ビニルグラフトコポリマーと、約１０〜約１００ｐｐｍのテレフタレート由来の汚れ放出ポリマーと、を含む、方法。
【０１５０】
ＥＥ．水性処理液は、自動洗濯機内の水性すすぎ液である、段落ＤＤに記載の方法。
【０１５１】
ＦＦ．方法は、布地を水性洗浄液と接触させる工程を更に含み、水性洗浄液は、水に溶解する、又は希釈される洗剤組成物を含み、洗剤組成物はアニオン性界面活性剤を含み、任意に、水性洗浄液は、約５０〜約５０００ｐｐｍ、好ましくは約１００〜約１０００ｐｐｍのアニオン性界面活性剤を含み、方法中、布地は、単一処理サイクルの一環として水性すすぎ液と接触する前に水性洗浄液と接触する、段落ＤＤ〜ＥＥのいずれかに記載の方法。
【０１５２】
ＧＧ．水性すすぎ液、好ましくは第１の水性すすぎ液は、約５００ｐｐｍ未満、又は約２５０ｐｐｍ未満、又は約１００ｐｐｍ未満のアニオン性界面活性剤を含む、段落ＤＤ〜ＦＦのいずれかに記載の方法。
【０１５３】
ＨＨ．布地は、合成繊維、好ましくはポリエステル、アクリル、ナイロン、レーヨン、アセテート、スパンデックス、ラステックス、若しくはオーロン繊維、又はこれらの組み合わせから選択される合成繊維を含む、段落ＤＤ〜ＧＧのいずれかに記載の方法。
【０１５４】
ＩＩ．布地を処理する方法であって、方法は、布地を、任意に水の存在下で段落Ａ〜ＣＣのいずれかに記載の組成物と接触させる工程を含み、組成物及び水は水性処理液を形成する、方法。
【０１５５】
ＪＪ．任意にテレフタレート由来の汚れ放出ポリマーと組み合わせる、ＰＥＧ／酢酸ビニルグラフトコポリマーの使用であって、コポリマーを含まない同様の組成物で布地を処理する場合と比較して、コポリマーを含む組成物で布地を処理した後の布地のウィッキング性能を改善する、又は維持するための、使用。
【０１５６】
試験方法
布地の処理方法
以下の方法に従って、任意に試験組成物を用いて布地見本を処理する。一般に、見本は４回の処理サイクルを受ける。各サイクルは、洗浄サイクル中の洗剤を用いた処理及びすすぎサイクル中の試験組成物（存在する場合）を用いた処理を特徴とする。第４の処理サイクルの前に汚れた洗濯物を加える。
【０１５７】
材料及び装置
試験レッグごとに、４回分（５．６４ｇ）の液体洗剤Ｋｉｒｋｌａｎｄ  Ｓｉｇｎａｔｕｒｅ  Ｕｌｔｒａ  Ｃｌｅａｎ  Ｐｒｅｍｉｕｍ  Ｌａｕｎｄｒｙ  Ｄｅｔｅｒｇｅｎｔ（「洗剤」）をプラスチックカップで予め計量する。布地見本の処理には、Ａｎｄｅｒｓｏｎ  Ｔｏｏｌ  ＆  Ｅｎｇｉｎｅｅｒｉｎｇによって製造された５ドラムのＡｕｔｏｍａｔｉｃ  Ｍｉｎｉｗａｓｈｅｒ（ＡＭＷ）、又は同等品を使用する。ドラムは、空（布地見本も洗剤も加えない）の状態で６０℃（１４０°Ｆ）の軟水を用いて洗濯サイクルを行うことにより、使用に先立って洗浄する。この洗浄手順は、洗浄／すすぎサイクルを完了するたびに行う。
【０１５８】
対象となる布地見本は、ＷＦＫ  Ｔｅｓｔ  Ｍａｔｅｒｉａｌｓから得た、８枚の横編み布（９５％ポリエステル、５％スパンデックス見本、８インチ×８インチ）である。残りの繊維束はジャージ編み材料からなり、バンドル繊維組成物を８０ｗｔ％の合成繊維（例えば、ナイロン、ポリエステル、エラステン）、２０ｗｔ％の綿繊維にした。バンドルの総重量は、約３００ｇとなった。
【０１５９】
予備コンディショニング（洗浄／すすぎ×３）
布地見本／試験片を予めコンディショニングするために、２ガロンの３０℃（８６°Ｆ）の水（水の硬度は７ｇｐｇ）で自動ミニウォッシャードラムを満たす。予め秤量した１回分の洗剤をドラムに注ぎ入れ、４５秒間撹拌して予め分散させる。布地見本をドラムに加え、８０ｒｐｍで１２分間撹拌し、続いて２分間の高速脱水サイクルを行う。洗浄／脱水サイクルの完了後、濡れた布地見本をドラムから一時的に取り出す。
【０１６０】
２ガロンの１５．６℃（６０°Ｆ）の水（水の硬度は７ｇｐｇ）でドラムを満たす。予め秤量した１回分の洗剤を指示された濃度（指示が存在する場合）でドラムに注ぎ入れ、４５秒間撹拌して予め分散させる。布地見本をドラムに戻し、８０ｒｐｍで２分間撹拌し、続いて２分間の高速脱水サイクルを行う。Ｗｈｉｒｌｐｏｏｌ  Ｄｒｙｅｒ  Ｍｏｄｅｌ：ＬＥＲ３６２２ＰＱ２を使用して、布地見本を３５分間乾燥させる。同一の布地見本でこの洗浄／すすぎサイクルを更に２回繰り返して、合計３回の予備コンディショニング洗浄／すすぎサイクルを行う。
【０１６１】
第４の（最終）サイクル
予めコンディショニングした布地見本を汚すために、４枚の汚れたバラスト布地（例えば、ＷＦＫ  Ｓｏｉｌ  Ｂａｌｌａｓｔ  Ｗ−ＳＢＬ−２００４、コード１０９９６）を半分に切断し、取りのけておく。２ガロンの３０℃（８６°Ｆ）の水（水の硬度は７ｇｐｇ）で自動ミニウォッシャードラムを満たす。４つ目の予め秤量した洗剤の試料をドラムに注ぎ入れ、４５秒間撹拌して予め分散させる。７枚の１／２サイズの汚れたバラストをドラムに加え、８０ｒｐｍで２分間撹拌する。この時間の経過後、撹拌を停止する。
【０１６２】
布地見本をドラムに加える。バンドルを１００ｒｐｍで２０分間撹拌し、続いて２分間の高速脱水サイクルを行う。洗浄／脱水サイクルの完了後、１／２サイズの汚れたバラストを取り出し、廃棄する。濡れた布地見本を、ドラムから一時的に取り出す。
【０１６３】
２ガロンの１５．６℃（６０°Ｆ）の水（水の硬度は７ｇｐｇ）でドラムを満たす。予め秤量した試験組成物をドラムに注ぎ入れ、４５秒間撹拌して予め分散させる。布地見本をドラムに戻し、８０ｒｐｍで２分間撹拌し、続いて２分間の高速脱水サイクルを行う。Ｗｈｉｒｌｐｏｏｌ  Ｄｒｙｅｒ  Ｍｏｄｅｌ：ＬＥＲ３６２２ＰＱ２又は同等品を使用して、布地見本を３５分間乾燥させる。
【０１６４】
処理後、以下の方法に従って布地見本を試験片に切断し、ウィッキング距離の試験を行ってよい。
【０１６５】
試験片の調製
布地の試験片は、空気プレス（例えば、Ａｔｏｍ  ＳＥ２０Ｃ空気プレス）を使用して、布地見本（新しい又は処理済み）を１８ｃｍ×２．５ｃｍのストリップに切断することによって調製する。一部の見本からは、垂直ウェイル（上部にループ）方向の長さで標本を切断し、他の見本は、水平コース（側部にループ）方向の長さで切断する。所与の処理には、１枚の見本につき１枚の試験片のみを使用し、１つの処理につき合計８枚の布地試験片（垂直ウェイル方向の４枚、水平コース方向の４枚）を使用する。布地の「前側」及び「後側」側は、メモ及び／又はマークされる。試験片は、コンディショニング及び／又は試験の時間まで、手袋を付けて扱われる、及び／又はプラスチック袋に保管されるべきである。
【０１６６】
試験前に、試料を２１．１℃（７０°Ｆ）及び５０％の相対湿度で少なくとも１２時間保管することによって布地試験片を平衡化して、試験片が確実に指定条件と平衡状態であるようにする。
【０１６７】
ウィッキング距離の決定
以下の方法を使用して、所与の組成物によって処理した布地上で測定される、ウィッキング距離を決定する。この方法は、ＡＡＴＣＣ  ＡＳＴＭ  Ｍｅｔｈｏｄ  １９７−２０１３，Ｖｅｒｔｉｃａｌ  Ｗｉｃｋｉｎｇ  ｏｆ  Ｔｅｘｔｉｌｅｓに基づいている。
【０１６８】
布地のウィッキング距離を決定するために、２０００．００ｇの蒸留水及び０．５０ｇの染料（Ｌｉｑｕｉｔｉｎｔ  Ｇｒｅｅｎ  １０１  Ｄｙｅ）を４Ｌビーカーに加える。均質になるまで混合物を撹拌する（約３０秒）。
【０１６９】
２つの多試験片タブを提供する。各タブは、タブの後壁に取り付けられ、垂直方向に方向付けられた４つの定規を含み、０．０ｃｍの印はタブの底部に最も接近しているが、接触してはいない。定規の０．０ｃｍの印まで水−染料混合物を各タブに注ぐ。垂直ウェイル方向に切断した４枚の試験片に一方のタブを使用し、他方のタブは、水平コース方向に切断した４枚の試験片に使用する。
【０１７０】
小型バインダークリップを使用して、定規の隣のタブの後壁に各試験片を吊るす。布地試験片の前側は、タブ壁から離れる方向に向いているべきである。各試験片の底縁部は、染色した水の上面にちょうど触れるべきであり、試験開始時には、約１ｍｍ以下の試験片が水中にあるべきである。試験片が染色した水と接触したら、直ちにタイマーを始動させる。布地試験片の端部が水の上部に浮かぶ傾向がある場合、金属製スパチュラを使用して、試験片の端部を水中へと軽く押し下げてよい。
【０１７１】
染色した水が試験片で上昇する／吸い上げられるかどうかを観察する。試験中は、試料を動かさない。水が試験片の上方へと移動する垂直距離（センチメートルで測定）を、所望の時間間隔（例えば、Ｔ＝２０分）、又は間隔（例えば、１、３、５、７、９、１０、１５、２０、２５、及び／又は３０分）で決定し得る。布地試験片で吸い上げられたときに水が移動した距離を測定するために、試験片を水平に観察し、対応する定規で染色した水が移動した距離（ｃｍ単位）を読み取る。結果を記録する。試験片での水位が記録時に水平でない場合は、平均距離を推定する。
【０１７２】
図１は、実験準備の簡略化された（正確な縮尺ではない）部分を示す。多試験片タブ１が設けられる。定規２はタブ１の後壁３に取り付けられている。染色された水４がタブ１に提供される。布地試験片５は、タブ１の後壁３に又はその近くにクリップ６を用いて取り付けられている。試験片５は、後壁３から離れる方向に離間配置されてよい。試験片５の底縁部７は、染色された水４にちょうど触れている。染色された水４が布地試験片５上を移動した垂直距離８は、定規２と比較することによって決定されてよい。
【０１７３】
所与の時間間隔について、センチメートル単位で移動距離を記録する。試験は、（ａ）水が１５．０ｃｍ運ばれたとき、又は（ｂ）３０分が経過したときのいずれか最初に生じた時点で完了すると考えられる。次の試験レッグを開始する前に、染色された水を交換する。
【０１７４】
所与の処理のウィッキング距離は、所与の間隔（例えば、２０分）にわたって、８枚の試験片上を水が移動した平均垂直距離として報告される。所望であれば、ウィッキング速度を決定することもできる（例えば、ｃｍ／分又はｍｍ／秒）。追加的に又は代替的に、結果は、特定距離を移動する時間（例えば、１０．０ｃｍの移動に対する分数）として報告されてよい。
【実施例】
【０１７５】
以下に提供される実施例は、事実上例示を意図するものであり、限定することを意図するものではない。
【０１７６】
実施例１〜３のそれぞれにおいて、ポリマー（ａ）は非イオン性汚れ放出ポリマー（Ｔｅｘｃａｒｅ（登録商標）ＳＲＮ２６０、Ｃｌａｒｉａｎｔ）であり、ポリマー（ｂ）は両親媒性グラフトコポリマー（ポリエチレングリコール骨格にグラフトされた酢酸ビニルモノマー、ＢＡＳＦ）である。
【０１７７】
実施例１．ウィッキング性能
本開示によるポリマー系によって提供されるウィッキング性能を他の組成物と比較するために、以下の試験を実施する。試験した組成物は、布地コンディショニング活性物質を含まない。
【０１７８】
実施例１では、ポリマー（ａ）及び／又は（ｂ）は、所与のｐｐｍ（百万分率）を提供するのに十分な濃度で、機械に直接投入した。
【０１７９】
【表１】
2021528540.tif 000007
【０１８０】
表１の結果は、ポリマー（ａ）及び（ｂ）の組み合わせを有する組成物（例えば、組成物４）で処理した布地は、一方のポリマー又は他方のポリマーを同等の濃度で有する組成物で処理した布地と比較して、改善されたウィッキング性能をもたらすことを示す。特に、組成物４で処理した布地は、新しい（未処理の）布地とほぼ同等以上のウィッキング性能を示す。
【０１８１】
実施例２．布地コンディショニング活性物質の存在下でのウィッキング性能
布地コンディショニング活性物質（第四級アンモニウムエステルクワット）の存在下で、本開示によるポリマー系のウィッキング性能を試験するために以下の試験を実行する。表２Ａ及び表２Ｂの試験した組成物は、異なるポリマー（ａ）＋（ｂ）の総量を有する。ＦＣＡ、ポリマー（ａ）、及びポリマー（ｂ）は、機械に直接提供する。所与の％濃度は、フルサイズの自動洗濯機（「同等のポリマー量」）に提供されるような、１回分の試験組成物２５．５ｇ中に存在するであろう相対量（比例配分）に近似する。
【０１８２】
表２Ａでは、実施例２Ａ〜４Ａの組成物は、同等の総ポリマー量（ａ＋ｂ）（１５ｗｔ％）を有する。
【０１８３】
【表２】
2021528540.tif 000008
【０１８４】
表２Ｂでは、実施例２Ａ〜３Ｂの組成物は、同等の総ポリマー量（ａ＋ｂ）（４ｗｔ％）を有する。
【０１８５】
【表３】
2021528540.tif 000009
【０１８６】
表２Ａ及び表２Ｂの結果が示すように、本開示によるポリマーの組み合わせを含む組成物（例えば、組成物４Ａ及び３Ｂ）で処理した布地は、同等の濃度の１種のポリマーのみを有する組成物によって処理した布地と比較して改善されたウィッキング性能を示す。
【０１８７】
実施例３．ポリマー系の比率
様々な比率のポリマー（ａ）及び（ｂ）の性能を比較するために以下の試験を実行する。
【０１８８】
ＦＣＡ、ポリマー（ａ）、及びポリマー（ｂ）は、機械に直接提供する。所与の％濃度は、フルサイズの自動洗濯機（「同等のポリマー量」）に提供されるような、１回分の試験組成物２５．５ｇ中に存在するであろう相対量（比例配分）に近似する。すすぎ処理は、３．６％の（同等の）布地コンディショニング活性物質（第四級アンモニウムエステルクワット）及び１５ｗｔ％の同等の総ポリマー量を含む。
【０１８９】
【表４】
2021528540.tif 000010
【０１９０】
表３に示すように、ポリマー（ａ）及び（ｂ）の組み合わせを含む組成物（例えば、組成物２〜６）で処理した布地は、ポリマーのうちの１つのみを含む組成物（例えば、組成物１及び７）で処理した布地と比較して改善されたウィッキング性能を示す。特に、ポリマー重量比（ａ：ｂ）約１：１〜約７：１（例えば、組成物４、５、及び６）は、最も改善されたウィッキング性能をもたらした。
【０１９１】
実施例４．ポリマー系＋抗酸化剤
本明細書に記載のポリマー系を含む組成物に酸化防止剤を添加する効果を示すために、以下の試験を実行する。
【０１９２】
Ａ．悪臭組成物の調製
表４Ａによる各物質の指定量を、テフロンで裏打ちされたキャップを有する２００ｍＬのガラスジャーに提供する。人工身体汚れ（ＡＢＳ）は、Ａｃｃｕｒａｔｅ  Ｐｒｏｄｕｃｔ  Ｄｅｖｅｌｏｐｍｅｎｔ（２０２８、Ｂｏｈｌｋｅ  Ｂｌｖｄ、Ｆａｉｒｆｉｅｌｄ、ＯＨ４５０１４）によって市販されている。
【０１９３】
【表５】
2021528540.tif 000011
【０１９４】
Ｂ．悪臭試験布地の調製
３００μｌの表４に記載の身体汚れ悪臭組成物を、２×５インチに切断した白色ポリコットン５０／５０（ＰＣＷ５０／５０）見本に塗布することによって、洗濯物につき１６枚の悪臭試験布地を調製した。布地を以下の処理１Ｄ又は２Ｄ（表４Ｂを参照）のうちの１つで洗浄し、乾燥させる。
【０１９５】
Ｃ．布地上での悪臭の分析的検出
処理した布地を均一な２インチ×２．５インチの小片に切断し、１０ｍＬヘッドスペース圧着バイアルに入れる。分析前にバイアルを１２時間超平衡化する。ＡＢＳ／スクアレン悪臭センサを使用した悪臭の低減は、質量選択的検出器（５９７７Ｂ）を備えたＡｇｉｌｅｎｔガスクロマトグラフ７８９０Ｂ、Ｃｈｅｍｓｔａｔｉｏｎ定量パッケージ、及び固相マイクロ抽出（ＳＰＭＥ）プローブを備えたＧｅｒｓｔｅｌ多目的サンプラーを使用してガスクロマトグラフィー質量分析により定量的に決定する。６−メチル−５−ヘプテン−２−オン（ＣＡＳ  １１０−９３−０）、トランス−２−ヘプテナール（１８８２９−５５−５）及び３−メチル−２−ブテナール（１０７−８６−８）の合計ｎＭｏｌ／Ｌリットルを、較正基準に基づいて物質ごとに計算し、合計して、所与の試験レッグに対する合計ＡＢＳ／スクアレンマーカー（ｎｍｏｌ／Ｌ）を提供する。
【０１９６】
Ｄ．結果
結果を表４Ｂに示す。
【０１９７】
【表６】
2021528540.tif 000012
１ＡＢＳ／スクアレン酸化からのアルデヒド／ケトン
＊処理１Ｄの結果を有意に上回る
【０１９８】
表４Ｂの結果が示すように、本開示による組成物／方法における酸化防止剤の存在は、特定の酸化分析マーカーの量を低減させる。かかる結果は、改善された悪臭制御性能と相関すると考えられる。
【０１９９】
実施例５．例示的な配合
本開示による組成物の例示的な配合を、以下の表に示す。成分濃度は、組成物の重量による重量パーセントとして示す。配合に加えて、ポリマーの総量（ａ）＋（ｂ）、並びにポリマー（ａ）対ポリマー（ｂ）の重量比を示す。
【０２００】
【表７】
2021528540.tif 000013
１ポリマー（ａ）：非イオン性ＳＲＰ（例えば、Ｔｅｘｃａｒｅ（登録商標）ＳＲＮ２４０又はＳＲＮ２６０）
２ポリマー（ｂ）：ＰＥＧ／ポリ酢酸ビニルグラフトコポリマー（例えば、ＰＥＧ：ポリ酢酸ビニルの重量比が約４０：６０）
３布地コンディショニング活性物質：第四級アンモニウムエステルクワット
４溶媒：例えば、グリセロール、プロピレングリコール
５界面活性剤：非イオン性界面活性剤（エトキシル化アルコール）
６カプセル化香料：メラミン−ホルムアルデヒド壁物質及び
壁のポリビニルホルムアミドコーティング（付着助剤として）などコア−イン−シェル封入体
７構造化剤プレミックス：結晶化硬化ヒマシ油を含有
【０２０１】
本明細書にて開示された寸法及び値は、列挙された正確な数値に厳密に限定されるものとして理解されるべきではない。その代わりに、特に指示がない限り、そのような各寸法は、列挙された値とその値を囲む機能的に同等な範囲との両方を意味することが意図されている。例えば、「４０ｍｍ」と開示された寸法は、「約４０ｍｍ」を意味することが意図される。
【０２０２】
相互参照される又は関連する任意の特許又は特許出願、及び本願が優先権又はその利益を主張する任意の特許出願又は特許を含む、本願に引用される全ての文書は、除外又は限定することを明言しない限りにおいて、参照によりその全体が本明細書に組み込まれる。いかなる文献の引用も、本明細書中で開示又は特許請求される任意の発明に対する先行技術であるとはみなされず、あるいはそれを単独で又は他の任意の参考文献（単数又は複数）と組み合わせたときに、そのようないかなる発明も教示、示唆又は開示するとはみなされない。更に、本文書における用語の任意の意味又は定義が、参照により組み込まれた文書内の同じ用語の任意の意味又は定義と矛盾する場合、本文書においてその用語に与えられた意味又は定義が適用されるものとする。
【０２０３】
本発明の特定の実施形態を例示及び説明してきたが、本発明の趣旨及び範囲から逸脱することなく様々な他の変更及び修正を行うことができる点は当業者には明白であろう。したがって、本発明の範囲内にある全てのそのような変更及び修正を添付の特許請求の範囲に網羅することが意図されている。
【図１】
2021528540.tif 000014
【国際調査報告】
2021528540.tif 000015
2021528540.tif 000016